(57)【特許請求の範囲】
【請求項１】
ベッドサイド端末と通信可能であり、前記ベッドサイド端末と異なる端末と通信可能であるプロセッサと、
前記プロセッサによって制御される記憶部と、
を具備し、
前記記憶部は、患者情報を記憶し、
前記プロセッサは、
前記ベッドサイド端末へ、前記患者情報が格納されている位置を指定する格納位置データを送信し、
前記ベッドサイド端末から前記格納位置データを取得した前記端末から、前記格納位置データによって指定される位置の前記患者情報のリクエストを受信し、
前記リクエストにしたがって、前記格納位置データによって指定される位置の前記患者情報を、前記端末へ送信する、
情報処理装置。
【請求項２】
前記記憶部は、患者を識別するための患者識別データと前記患者情報とを関連付けている患者データを記憶しており、
前記患者識別データは、前記患者に割り当てられた前記ベッドサイド端末を識別するための端末識別データと関連付けられており、
前記プロセッサは、前記ベッドサイド端末から格納位置リクエストと、前記患者識別データまたは前記端末識別データとを受信した場合に、前記患者識別データまたは前記端末識別データに関連する前記患者情報に対する前記格納位置データを、前記ベッドサイド端末へ送信する、
請求項１の情報処理装置。
【請求項３】
前記格納位置データは、Uniform Resource Locatorのバーコードまたは２次元コードであり、
前記プロセッサは、前記ベッドサイド端末に対するスタッフの操作に応じて、前記格納位置データを含む画面を表示するための表示データを、前記ベッドサイド端末へ送信する、
請求項１または請求項２の情報処理装置。
【請求項４】
前記記憶部は、患者を識別するための患者識別データと前記患者情報とを関連付けている患者データを記憶しており、
前記プロセッサは、前記ベッドサイド端末に対するスタッフの操作に応じて、前記患者識別データのバーコードまたは２次元コードを含む画面を表示するための表示データを、前記ベッドサイド端末へ送信する、
請求項１の情報処理装置。
【請求項５】
ベッドサイド端末と通信可能であり、前記ベッドサイド端末と異なる端末と通信可能であるプロセッサと、
前記プロセッサによって制御される記憶部と、
を具備し、
前記記憶部は、被介護者情報を記憶し、
前記プロセッサは、
前記ベッドサイド端末へ、前記被介護者情報が格納されている位置を指定する格納位置データを送信し、
前記ベッドサイド端末から前記格納位置データを取得した前記端末から、前記格納位置データによって指定される位置の前記被介護者情報のリクエストを受信し、
前記リクエストにしたがって、前記格納位置データによって指定される位置の前記被介護者情報を、前記端末へ送信する、
情報処理装置。
【請求項６】
コンピュータに、
記憶部へ患者情報を記憶させる機能と、
前記コンピュータと通信可能なベッドサイド端末へ、前記患者情報が格納されている位置を指定する格納位置データを送信する機能と、
前記コンピュータと通信可能であり前記ベッドサイド端末から前記格納位置データを取得した前記ベッドサイド端末と異なる端末から、前記格納位置データによって指定される位置の前記患者情報のリクエストを受信する機能と、
前記リクエストにしたがって、前記格納位置データによって指定される位置の前記患者情報を、前記端末へ送信する機能と、
を実現させるためのプログラム。
【発明の詳細な説明】
【技術分野】
【０００１】
本発明は、例えば医療情報システムなどで管理されている情報を、ベッドに関連付けられているベッドサイド端末に表示させるための情報処理装置およびプログラムに関する。
【背景技術】
【０００２】
医療機関で用いられる医療情報システムは、電子カルテを管理する。この電子カルテに含まれている患者情報（診療情報でもよい）を、ベッドサイドに備えられているベッドサイド端末に表示するサービスが提供されている。
【０００３】
医療機関のスタッフ（例えば医師または看護師など）は、例えばベッドサイド端末に患者識別データを入力する。ベッドサイド端末は、患者識別データを管理サーバへ送信する。管理サーバは、医療情報システムから電子カルテのうちの少なくとも一部のデータを受信している。管理サーバは、電子カルテのうちの少なくとも一部のデータから患者識別データに関連する患者情報を選択し、患者情報を患者識別データに対応するベッドサイド端末へ送信する。これにより、ベッドサイド端末に患者情報が表示される。
【０００４】
患者は、例えば、退院時または退院後に、医療機関に対して患者情報（例えば診療情報提供書）の提供を請求する場合がある。この場合、例えば、患者は、医療機関の窓口へ患者情報の提供を依頼する。医療機関は、依頼に応じて、紙に印刷された患者情報、または、例えばコンパクトディスクなどの情報記録媒体に記録された患者情報を、患者へ提供する。
【先行技術文献】
【特許文献】
【０００５】
【特許文献１】特許第６６８２０３４号公報
【発明の概要】
【発明が解決しようとする課題】
【０００６】
医療機関が患者へ患者情報を提供する場合の患者および医療機関の負荷は、軽減されることが望ましい。
【０００７】
本発明は、上記実情に鑑みてなされたものであり、医療機関が患者へ患者情報を提供する場合の患者および医療機関の負荷を軽減する情報処理装置およびプログラムに関する。
【課題を解決するための手段】
【０００８】
本発明の情報処理装置は、ベッドサイド端末と通信可能であり、ベッドサイド端末と異なる端末と通信可能であるプロセッサと、プロセッサによって制御される記憶部とを備える。記憶部は、患者情報を記憶する。プロセッサは、ベッドサイド端末へ、患者情報が格納されている位置を指定する格納位置データを送信し、ベッドサイド端末から格納位置データを取得した端末から、格納位置データによって指定される位置の患者情報のリクエストを受信し、リクエストにしたがって、格納位置データによって指定される位置の患者情報を、端末へ送信する。
【発明の効果】
【０００９】
本発明によれば、医療機関が患者へ患者情報を提供する場合の患者および医療機関の負荷を軽減することができる。
【図面の簡単な説明】
【００１０】
【図１】第１の実施形態に係る情報処理システムの例を示すブロック図。
【図２】第１の実施形態に係る情報処理システムで管理される各種のデータの例を示すブロック図。
【図３】管理サーバによって実行される患者データ取得処理の例を示すフローチャート。
【図４】管理サーバによって実行される患者情報提供処理の例を示すフローチャート。
【図５】ベッドサイド端末の表示部によって表示される第１の画面の例を示す図。
【図６】ベッドサイド端末の表示部によって表示される第２の画面の例を示す図。
【図７】ベッドサイド端末の表示部によって表示される第３の画面の例を示す図。
【図８】ベッドサイド端末の表示部によって表示される第４の画面の例を示す図。
【図９】患者端末による格納位置データの取得方法の例を示す図。
【図１０】患者端末の表示部によって表示される第５の画面の例を示す図。
【図１１】患者端末の表示部によって表示される第６の画面の例を示す図。
【図１２】ベッドサイド端末の表示部によって表示される第７の画面の例を示す図。
【図１３】第３の実施形態に係る情報処理システムの例を示すブロック図。
【図１４】電子カルテと患者データと端末データと補充位置データと指定情報との関係の例を示す図。
【図１５】第３の実施形態に係る情報処理システムの処理の一例を示すフローチャート。
【図１６】第３の実施形態に係る情報処理システムの概略を例示する図。
【図１７】第４の実施形態に係る情報処理システムの例を示すブロック図。
【図１８】第４の実施形態に係るベッドサイド端末の画面遷移の例を示す図。
【図１９】第４の実施形態に係る情報処理システムによって実行される処理の例を示すフローチャート。
【発明を実施するための形態】
【００１１】
以下、図面を参照して実施形態を説明する。図面において、同一の機能及び構成要素については、同一符号を付して説明を省略するか、または、簡単に説明を行う。
【００１２】
（第１の実施形態）
第１の実施形態では、管理サーバが、患者情報を管理しており、当該患者情報の位置を指定する格納位置データ（例えば、ＵＲＬ：Uniform Resource Locatorなど）をベッドサイト端末に送信する情報処理システムを説明する。
【００１３】
第１の実施形態に係る情報処理システムは、医療分野に適用される場合を例として説明するが、例えば介護分野などの他の分野に適用されてもよい。
【００１４】
図１は、第１の実施形態に係る情報処理システム１の例を示すブロック図である。
【００１５】
情報処理システム１は、医療サーバＳａと、管理サーバＳｂと、ベッドサイド端末Ｔａと、患者端末Ｔｂとを備える。なお、情報処理システム１は、複数のベッドサイド端末と、当該複数のベッドサイド端末のそれぞれに対応する複数の患者端末を備えるとしてもよいが、第１の実施形態では、説明を簡略化するため、患者Ｐに割り当てられたベッドサイド端末Ｔａと患者端末Ｔｂとを備える情報処理システム１を説明する。
【００１６】
医療サーバＳａと管理サーバＳｂとは、例えば専用回線、インターネット、ＬＡＮ（Local Area Network）、または、無線ＬＡＮなどのようなネットワークＮ１経由で互いに通信可能である。管理サーバＳｂと、ベッドサイド端末Ｔａと、患者端末Ｔｂとは、例えば専用回線、インターネット、ＬＡＮ、または、無線ＬＡＮなどのようなネットワークＮ２経由で他の装置と通信可能である。
【００１７】
具体的には、情報処理システム１において、管理サーバＳｂは、医療サーバＳａとネットワークＮ１経由で通信可能であり、ベッドサイド端末Ｔａおよび患者端末ＴｂとネットワークＮ２経由で通信可能である。
【００１８】
以下においては、説明を簡略化するため、ネットワークＮ１，Ｎ２を省略して説明する場合がある。
【００１９】
医療サーバＳａと、管理サーバＳｂと、ベッドサイド端末Ｔａと、患者端末Ｔｂとは、例えばコンピュータまたは情報処理装置である。ベッドサイド端末Ｔａは、例えば、タブレット型コンピュータとしてもよい。患者端末Ｔｂは、例えば、携帯電話機、または、携帯型のコンピュータなどでもよい。
【００２０】
医療サーバＳａは、例えば、通信部Ｃ１、記憶部Ｍ１、プロセッサＰ１を備える。
【００２１】
記憶部Ｍ１は、例えば、ソフトウェア２と電子カルテ３とを記憶する。
【００２２】
プロセッサＰ１は、例えば、記憶部Ｍ１に記憶されているソフトウェア２を実行することにより、編集部４およびデータ検索部５としての機能を実現する。ソフトウェア２は、例えば、ＯＳ（オペレーティングシステム）、医療情報システムとしての機能を実現するためのアプリケーション・ソフトウェア、通信制御ソフトウェアなどを含むとしてもよい。
【００２３】
管理サーバＳｂは、例えば、通信部Ｃ２、記憶部Ｍ２、プロセッサＰ２を備える。
【００２４】
記憶部Ｍ２は、例えば、ソフトウェア６、表示データ７１〜７ｍ、患者データ８、端末識別データＴ１，Ｔｎ、格納位置データＬ１，Ｌｎを記憶する。
【００２５】
プロセッサＰ２は、例えば、記憶部Ｍ２に記憶されているソフトウェア６を実行することにより、リクエスト処理部９、患者データ処理部１０、格納位置処理部１１、患者情報処理部１２としての機能を実現する。ソフトウェア６は、例えば、ＯＳ、当該ＯＳ上で動作し医療サーバＳａ、ベッドサイド端末Ｔａ、患者端末Ｔｂと連携して患者端末Ｔｂへ患者情報を送信するためのアプリケーション・ソフトウェア、通信制御ソフトウェアなどを含むとしてもよい。
【００２６】
ベッドサイド端末Ｔａは、例えば、通信部Ｃ３、操作受付部Ｒ１、表示部Ｄ１、記憶部Ｍ３、プロセッサＰ３などを備える。なお、ベッドサイド端末Ｔａは、ベッドサイドに配置されない他の種別の端末でもよい。
【００２７】
記憶部Ｍ３は、例えば、ソフトウェア１３、表示データ７１〜７ｍ−２、格納位置データＬ１を記憶する。
【００２８】
なお、格納位置データＬ１は、表示データ７１〜７ｍ−２のうちのいずれかに含まれていてもよい。
【００２９】
プロセッサＰ３は、例えば、記憶部Ｍ３に記憶されているソフトウェア１３を実行することにより、リクエスト処理部１４、格納位置処理部１５としての機能を実現する。ソフトウェア１３は、例えば、ＯＳ、ブラウザなどを含むとしてもよい。
【００３０】
患者端末Ｔｂは、例えば、通信部Ｃ４、操作受付部Ｒ２、表示部Ｄ２、記憶部Ｍ４、プロセッサＰ４、データ取得部１６などを備える。
【００３１】
記憶部Ｍ４は、例えば、ソフトウェア１７、格納位置データＬ１、患者情報ＰＩ１、表示データ７ｍ−１，７ｍを記憶する。
【００３２】
プロセッサＰ４は、例えば、記憶部Ｍ４に記憶されているソフトウェア２５を実行することにより、格納位置処理部１８、患者情報処理部１９としての機能を実現する。ソフトウェア１７は、例えば、ＯＳ、ブラウザなどを含むとしてもよい。
【００３３】
以下で、医療サーバＳａ、管理サーバＳｂ、ベッドサイド端末Ｔａ、患者端末Ｔｂを順に説明する。
【００３４】
まず、医療サーバＳａを説明する。
【００３５】
医療サーバＳａは、例えば、電子カルテ３を管理する医療情報システムである。
【００３６】
通信部Ｃ１は、管理サーバＳｂからネットワークＮ１経由で、例えばデータ、情報、信号、リクエスト、コマンド、通知、指示、応答などを受信する。また、通信部Ｃ１は、ネットワークＮ１経由で管理サーバＳｂへ、例えばデータ、情報、信号、リクエスト、コマンド、通知、指示、応答などを送信する。
【００３７】
記憶部Ｍ１は、例えば揮発性メモリと不揮発性メモリとを含む。記憶部Ｍ１は、例えば、ハードディスクドライブ（ＨＤＤ）、または、ソリッドステートドライブ（ＳＳＤ）などのようなストレージデバイスでもよい。記憶部Ｍ１は、主記憶装置を含むとしてもよく、キャッシュメモリを含むとしてもよく、バッファメモリを含むとしてもよい。なお、管理サーバＳｂの記憶部Ｍ２、ベッドサイド端末Ｔａの記憶部Ｍ３、患者端末Ｔｂの記憶部Ｍ４も、記憶部Ｍ１と同様とすることができる。ただし、記憶部Ｍ１〜Ｍ４は、記憶しているソフトフェアおよびデータが異なる。
【００３８】
ソフトウェア２は、プロセッサＰ１によって実行されることにより、医療情報システムとしての各種機能を実現する。医療情報システムとしての機能としては、例えば、電子カルテ３のためのデータの受信機能、電子カルテ３の編集機能および管理機能、電子カルテ３に含まれているデータの送信機能などがある。
【００３９】
電子カルテ３は、例えば、患者の個人情報、診察内容、診断結果、処方箋、経過情報などを患者ごとに電子的に記録しているデータである。第１の実施形態において、電子カルテ３は、例えば、患者を識別するための患者識別データＰＩＤ１〜ＰＩＤｎと、患者に対応する各種の情報である患者情報ＰＩ１〜ＰＩｎとを関連付けている。患者情報ＰＩ１〜ＰＩｎのそれぞれは、例えば、担当の医師を識別するための医師識別データ、患者に関する例えば診察内容、診断結果、処方箋、経過情報などのような診療データ、患者が入院かまたは通院かを示す入院／通院データ（フラグ情報）を含むとしてもよい。
【００４０】
第１の実施形態において、患者識別データＰＩＤ１〜ＰＩＤｎと患者情報ＰＩ１〜ＰＩｎとは分かれているが、後で説明する第３の実施形態のように、患者識別データＰＩＤ１〜ＰＩＤｎは患者情報ＰＩ１〜ＰＩｎ内に含まれていてもよい。患者識別データＰＩＤ１〜ＰＩＤｎは、患者ＩＤと表記してもよい。
【００４１】
プロセッサＰ１は、例えば、ＣＰＵ（Central Processing Unit）、ＭＰＵ（Micro Processing Unit）、ＧＰＵ（Graphics Processing Unit）などである。プロセッサＰ１は、通信部Ｃ１を使用してネットワークＮ１経由で管理サーバＳｂと通信可能である。なお、管理サーバＳｂのプロセッサＰ２、ベッドサイド端末ＴａのプロセッサＰ３、患者端末ＴｂのプロセッサＰ４のそれぞれも、プロセッサＰ１と同様に、例えば、ＣＰＵ、ＭＰＵ、または、ＧＰＵなどでもよい。
【００４２】
プロセッサＰ１は、記憶部Ｍ１から各種データおよび各種ソフトウェアをリード可能であり、記憶部Ｍ１へ各種データおよび各種ソフトウェアをライト可能である。なお、管理サーバＳｂのプロセッサＰ２、ベッドサイド端末ＴａのプロセッサＰ３、患者端末ＴｂのプロセッサＰ４のそれぞれも、プロセッサＰ１と同様に、例えば、記憶部Ｍ２〜Ｍ４のそれぞれから各種データおよび各種ソフトウェアをリード可能であり、記憶部Ｍ２〜Ｍ４のそれぞれへ各種データおよび各種ソフトウェアをライト可能である。
【００４３】
編集部４は、他の装置からネットワークＮ１および通信部Ｃ１経由で、または、図示しない医療サーバＳａの操作受付部または操作端末から、コマンドまたはリクエストを受信し、コマンドまたはリクエストにしたがって、記憶部Ｍ１に記憶されている電子カルテ３に対するデータ（例えば患者識別データＰＩＤ１〜ＰＩＤｎまたは患者情報ＰＩ１〜ＰＩｎなど）の登録、編集、管理、更新、または、削除などを行う。
【００４４】
データ検索部５は、例えば、管理サーバＳｂからネットワークＮ１および通信部Ｃ１経由で受信したコマンドまたはリクエストにしたがって、データ検索を実行し、検索されたデータを、通信部Ｃ１およびネットワークＮ１経由で管理サーバＳｂへ送信する。
【００４５】
より具体的に説明すると、データ検索部５は、例えば、管理サーバＳｂからネットワークＮ１および通信部Ｃ１経由で、患者情報の検索コマンドまたは検索リクエストを受信する。そして、データ検索部５は、電子カルテ３から、検索条件を満たす患者に関する患者識別データＰＩＤ１，ＰＩＤｎおよび患者情報ＰＩ１，ＰＩｎを抽出し、抽出した患者識別データＰＩＤ１，ＰＩＤｎおよび患者情報ＰＩ１，ＰＩｎを含む患者データ８を通信部Ｃ１およびネットワークＮ１経由で管理サーバＳｂへ送信する。
【００４６】
例えば、データ検索部５は、管理サーバＳｂからネットワークＮ１および通信部Ｃ１経由で患者識別データＰＩＤ１，ＰＩＤｎと検索コマンドまたは検索リクエストを受信する。この場合、データ検索部５は、電子カルテ３から、患者識別データＰＩＤ１，ＰＩＤｎに対応する患者情報ＰＩ１，ＰＩｎを抽出してもよい。
【００４７】
例えば、データ検索部５は、管理サーバＳｂからネットワークＮ１および通信部Ｃ１経由で入院している患者を抽出する旨の検索コマンドまたは検索リクエストを受信する。この場合、データ検索部５は、電子カルテ３から、入院フラグを含む患者情報ＰＩ１，ＰＩｎと、当該入院フラグを含む患者情報ＰＩ１，ＰＩｎに対応する患者識別データＰＩＤ１，ＰＩＤｎとを抽出してもよい。
【００４８】
次に、管理サーバＳｂを説明する。
【００４９】
管理サーバＳｂは、医療サーバＳａ、ベッドサイド端末Ｔａ、患者端末Ｔｂと連携して動作する。
【００５０】
管理サーバＳｂは、例えば、医療サーバＳａから電子カルテ３の少なくとも一部を含む患者データ８を受信し、この受信した患者データ８を用いてベッドサイド端末Ｔａに各種のデータを表示させるサービスを提供する情報処理装置である。管理サーバＳｂは、ベッドサイド端末Ｔａなどのベッドサイド機器を管理する管理会社によって運営されてもよい。
【００５１】
より具体的に説明すると、管理サーバＳｂは、例えば、患者識別データＰＩＤ１，ＰＩＤｎと検索コマンドまたは検索リクエストとを、ネットワークＮ１経由で医療サーバＳａへ送信する。そして、管理サーバＳｂは、応答として、患者識別データＰＩＤ１，ＰＩＤｎと、当該患者識別データＰＩＤ１，ＰＩＤｎに対応する患者情報ＰＩ１，ＰＩｎとを含む患者データ８を、医療サーバＳａからネットワークＮ１経由で受信する。
【００５２】
あるいは、管理サーバＳｂは、例えば、入院している患者を抽出するための検索コマンドまたは検索リクエストを、ネットワークＮ１経由で医療サーバＳａへ送信する。そして、管理サーバＳｂは、応答として、入院フラグを含む患者情報ＰＩ１，ＰＩｎと、当該入院フラグを含む患者情報ＰＩ１，ＰＩｎに対応する患者識別データＰＩＤ１，ＰＩＤｎとを含む患者データ８を、医療サーバＳａからネットワークＮ１経由で受信する。
【００５３】
なお、管理サーバＳｂは、例えば、一度、患者データ８を取得すると、その後は、患者データ８に含まれている患者識別データＰＩＤ１，ＰＩＤｎに基づいて、周期的に、医療サーバＳａから患者識別データＰＩＤ１，ＰＩＤｎに対応する患者情報ＰＩ１，ＰＩｎを取得し、取得した患者情報ＰＩ１，ＰＩｎに基づいて患者データ８を更新してもよい。
【００５４】
管理サーバＳｂは、患者データ８に含まれている患者識別データＰＩＤ１，ＰＩＤｎに関連する端末識別データＴ１，Ｔｎと、患者データ８に含まれている患者情報ＰＩ１，ＰＩｎの位置を示す格納位置データＬ１，Ｌｎとを管理する。
【００５５】
管理サーバＳｂは、各種の表示データ７１〜７ｍをネットワークＮ２経由でベッドサイド端末Ｔａまたは患者端末Ｔｂへ送信し、各種のリクエストをベッドサイド端末Ｔａまたは患者端末ＴｂからネットワークＮ２経由で受信する。
【００５６】
管理サーバＳｂは、例えば、格納位置リクエストと、患者識別データＰＩＤ１または端末識別データＴ１を、ベッドサイド端末ＴａからネットワークＮ２経由で受信する。この場合、管理サーバＳｂは、患者識別データＰＩＤ１に関連する患者情報ＰＩ１、または、端末識別データＴ１と間接的に関連付けられている患者情報ＰＩ１、の格納位置データＬ１を特定する。そして、管理サーバＳｂは、格納位置データＬ１を、ネットワークＮ２経由でベッドサイド端末Ｔａへ送信する。
【００５７】
管理サーバＳｂは、例えば、患者端末ＴｂからネットワークＮ２経由で、格納位置データＬ１によって指定される患者情報ＰＩ１のダウンロードリクエストを受信する。すると、管理サーバＳｂは、格納位置データＬ１によって指定される位置に格納されている患者情報ＰＩ１を、ネットワークＮ２経由で患者端末Ｔｂへ送信する。
【００５８】
ソフトウェア６は、プロセッサＰ２によって実行されることにより、医療サーバＳａ、ベッドサイド端末Ｔａ、患者端末Ｔｂと連携し、患者情報ＰＩ１を患者端末Ｔｂへ送信するための各種機能を実現する。
【００５９】
表示データ７１〜７ｍは、例えばＨＴＭＬ（HyperText Markup Language）形式などのデータとしてもよい。表示データ７１〜７ｍ−２のうちのいずれかは、患者情報ＰＩ１をベッドサイド端末Ｔａに表示させるための画面データでもよく、ベッドサイド端末Ｔａを使用する患者Ｐまたは医療機関のスタッフＳに様々な操作を促すための画面データでもよい。
【００６０】
第１の実施形態において、表示データ７１〜７ｍ−２のうちのいずれかは、格納位置データＬ１を含むとしてもよい。
【００６１】
患者データ８は、電子カルテ３の少なくとも一部を含み、管理サーバＳｂがネットワークＮ１経由で医療サーバＳａから受信したデータである。患者データは、例えば、医療サーバＳａへ送信された患者識別データＰＩＤ１，ＰＩＤｎと、当該患者識別データＰＩＤ１，ＰＩＤｎによって指定される患者の患者情報ＰＩ１，ＰＩｎを含むとしてもよい。患者データ８は、例えば、入院している患者の患者識別データＰＩＤ１，ＰＩＤｎおよび患者情報ＰＩ１，ＰＩｎを含むとしてもよい。
【００６２】
端末識別データＴ１，Ｔｎのそれぞれは、複数のベッドサイド端末のそれぞれを識別するためのデータである。端末識別データＴ１，Ｔｎのそれぞれは、例えば、端末識別データＴ１，Ｔｎのそれぞれに対応するベッドサイド端末に対する通信に使用されるアドレス（例えばＩＰアドレス：Internet Protocol Address）を含むとしてもよい。
【００６３】
第１の実施形態において、端末識別データＴ１は、例えば、患者データ８に含まれており当該端末識別データＴ１で指定されるベッドサイド端末Ｔａに対応する患者Ｐの患者識別データＰＩＤ１と関連付けられている。端末識別データＴｎは、当該端末識別データＴｎで指定されるベッドサイド端末に対応する患者の患者識別データＰＩＤｎと関連付けられている。
【００６４】
格納位置データＬ１，Ｌｎのそれぞれは、患者情報ＰＩ１，ＰＩｎのそれぞれが配置されている位置を指定するデータである。格納位置データＬ１，Ｌｎのそれぞれは、例えば、患者情報ＰＩ１，ＰＩｎのそれぞれを指定するＵＲＬでもよく、ＵＲＬを例えばバーコードまたは２次元コードなどへ変換したデータでもよい。
【００６５】
リクエスト処理部９は、ベッドサイド端末Ｔａまたは患者端末Ｔｂから通信部Ｃ２経由で、各種のリクエストなどを受信する。リクエスト処理部９は、リクエストにしたがって表示データ７１〜７ｍを生成し、表示データ７１〜７ｍを記憶部Ｍ２に記憶させる。そして、リクエスト処理部９は、記憶部Ｍ２に記憶されている表示データ７１〜７ｍを通信部Ｃ２経由でベッドサイド端末Ｔａまたは患者端末Ｔｂへ送信する。
【００６６】
リクエスト処理部９は、ベッドサイド端末Ｔａまたは患者端末Ｔｂから通信部Ｃ２経由で、患者識別データまたはスタッフ識別データを受信した場合に、患者識別データに対する認証処理、または、スタッフ識別データに対する認証処理を実行してもよい。
【００６７】
患者データ処理部１０は、例えば、ベッドサイド端末Ｔａおよび図示しない他のベッドサイド端末から通信部Ｃ２経由で患者識別データＰＩＤ１，ＰＩＤｎを受信した場合に、患者識別データＰＩＤ１，ＰＩＤｎと、検索コマンドまたは検索リクエストとを、通信部Ｃ２経由で医療サーバＳａへ送信する。患者データ処理部１０は、患者識別データＰＩＤ１，ＰＩＤｎと検索コマンドまたは検索リクエストとの応答として、医療サーバＳａから通信部Ｃ２経由で、患者データ８を受信し、患者データ８を記憶部Ｍ２に記憶させる。
【００６８】
また、患者データ処理部１０は、患者識別データＰＩＤ１とベッドサイド端末Ｔａの端末識別データＴ１とを関連付けて記憶部Ｍ２に記憶させ、患者識別データＰＩＤｎと他のベッドサイド端末の端末識別データＴｎとを関連付けて記憶部Ｍ２に記憶させる。
【００６９】
格納位置処理部１１は、患者データ８に含まれている患者情報ＰＩ１，ＰＩｎの位置を指定する格納位置データＬ１，Ｌｎを生成する。格納位置処理部１１は、例えば、患者情報ＰＩ１，ＰＩｎのそれぞれと、格納位置データＬ１，Ｌｎのそれぞれとを互いに関連付けて記憶部Ｍ２に記憶させてもよい。
【００７０】
格納位置処理部１１は、例えば、ベッドサイド端末Ｔａから通信部Ｃ２経由で格納位置リクエストと患者識別データＰＩＤ１とを受信する。格納位置処理部１１は、格納位置リクエストを受信すると、患者識別データＰＩＤ１と関連する患者情報ＰＩ１の格納位置データＬ１を記憶部Ｍ２からリードする。そして、格納位置処理部１１は、例えば、格納位置データＬ１を、通信部Ｃ２経由でベッドサイド端末Ｔａへ送信する。
【００７１】
または、格納位置処理部１１は、例えば、ベッドサイド端末Ｔａから通信部Ｃ２経由で格納位置リクエストと端末識別データＴ１とを受信してもよい。格納位置処理部１１は、格納位置リクエストを受信すると、端末識別データＴ１と関連する患者識別データＰＩＤ１を求め、患者識別データＰＩＤ１と関連する患者情報ＰＩ１の格納位置データＬ１を求める。そして、格納位置処理部１１は、格納位置データＬ１を、通信部Ｃ２経由でベッドサイド端末Ｔａへ送信する。
【００７２】
第１の実施形態において、格納位置処理部１１は、格納位置データＬ１に対するデータ有効期限またはデータ有効期間を決定してもよく、ワンタイムパスワードを発行してもよい。
【００７３】
第１の実施形態において、格納位置データＬ１は、例えば、表示データ７１〜７ｍ−２のいずれかに組み込まれて、ベッドサイド端末Ｔａへ送信されてもよい。この場合、格納位置処理部１１は、リクエスト処理部９の一部としてもよい。
【００７４】
患者情報処理部１２は、例えば、患者端末Ｔｂから通信部Ｃ２経由で、格納位置データＬ１によって指定される位置の患者情報ＰＩ１のダウンロードリクエストを受信する。患者情報処理部１２は、ダウンロードリクエストを受信すると、格納位置データＬ１によって指定される位置の患者情報ＰＩ１を記憶部Ｍ２からリードする。そして、患者情報処理部１２は、患者情報ＰＩ１を通信部Ｃ２経由で患者端末Ｔｂへ送信する。
【００７５】
第１の実施形態において、患者情報処理部１２は、例えば、患者情報ＰＩ１を所定の規格（例えば標準規格）に準拠したフォーマットに変換し、変換された患者情報ＰＩ１を患者端末Ｔｂへ送信してもよい。第１の実施形態において、患者情報処理部１２は、例えば、ダウンロードリクエストを受信する前に、患者情報ＰＩ１を所定の規格に準拠するフォーマットへ変換してもよく、ダウンロードリクエストが受信された場合に、患者情報ＰＩ１を所定の規格に準拠するフォーマットへ変換してもよい。
【００７６】
次に、ベッドサイド端末Ｔａを説明する。
【００７７】
ベッドサイド端末Ｔａは、管理サーバＳｂとネットワークＮ２経由で通信可能である。
【００７８】
ベッドサイド端末Ｔａは、患者Ｐのベッドと関連付けられ、ベッド近傍に配置されるコンピュータである。ベッドサイド端末Ｔａは、例えば、医師または看護師などの医療機関のスタッフＳ、患者Ｐ、患者Ｐの家族などによって使用される。
【００７９】
操作受付部Ｒ１は、例えば、マウス、タッチパネル、タッチパッドなどのポインティングデバイス、または、キーボードなどである。なお、患者端末Ｔｂの操作受付部Ｒ２も操作受付部Ｒ１と同様であるため、操作受付部Ｒ２の説明は省略する。
【００８０】
表示部Ｄ１は、例えば、有機ＥＬ（Electro Luminescence）ディスプレイ、または、液晶ディスプレイなどである。表示部Ｄ１は、例えば、プロセッサＰ３による制御にしたがって各種のデータまたは情報を表示する。なお、患者端末Ｔｂの表示部Ｄ２も表示部Ｄ１と同様であるため、表示部Ｄ２の説明は省略する。
【００８１】
リクエスト処理部１４は、ベッドサイド端末Ｔａを操作する例えば患者ＰまたはスタッフＳから操作受付部Ｒ１経由で、各種の指示を受け付ける。そして、リクエスト処理部１４は、各種の指示に対応する各種のリクエストを、通信部Ｃ３経由で管理サーバＳｂへ送信する。
【００８２】
リクエスト処理部１４は、各種のリクエストの応答として、例えば表示データ７１〜７ｍ−２を、管理サーバＳｂから通信部Ｃ３経由で受信する。すると、リクエスト処理部１４は、受信した表示データ７１〜７ｍ−２を記憶部Ｍ３へ記憶させ、表示データ７１〜７ｍ−２を表示部Ｄ１に表示させる。
【００８３】
格納位置処理部１５は、例えば、ベッドサイド端末Ｔａを操作するスタッフＳから操作受付部Ｒ１経由で、格納位置データＬ１の取得指示を受け付ける。すると、格納位置処理部１５は、格納位置リクエスト、および、患者識別データＰＩＤ１または端末識別データＴ１を、通信部Ｃ３経由で管理サーバＳｂへ送信する。格納位置処理部１５は、格納位置リクエストの応答として、患者識別データＰＩＤ１または端末識別データＴ１に対応する格納位置データＬ１を、管理サーバＳｂから通信部Ｃ３経由で受信し、受信した格納位置データＬ１を記憶部Ｍ３へ記憶させる。
【００８４】
格納位置処理部１５は、記憶部Ｍ３に記憶されている格納位置データＬ１を、表示部Ｄ１に表示させてもよい。あるいは、格納位置処理部１５は、記憶部Ｍ３に記憶されている格納位置データＬ１を、通信部Ｃ３経由で患者端末Ｔｂへ送信してもよい。ベッドサイト端末Ｔａから患者端末Ｔｂへの格納位置データＬ１の送受信は、例えば、無線ＬＡＮ通信または近距離無線通信により実現されてもよい。
【００８５】
なお、格納位置データＬ１が表示データ７１〜７ｍ−２のいずれかに含まれている場合、格納位置処理部１５は、格納位置データＬ１を含む表示データ７１〜７ｍ−２のいずれかを表示部Ｄ３に表示させる。この場合、格納位置処理部１１は、リクエスト処理部１４の一部としてもよい。
【００８６】
次に、患者端末Ｔｂを説明する。
【００８７】
患者端末Ｔｂは、例えば、患者Ｐまたは患者Ｐの家族などが所有する端末である。患者端末Ｔｂは、ベッドサイド端末Ｔａとは異なる装置である。
【００８８】
データ取得部１６は、例えば、カメラ、バーコードリーダ、または、２次元コードリーダなどのような格納位置データＬ１を読み取り可能な機器である。
【００８９】
格納位置処理部１８は、例えば、ベッドサイド端末Ｔａの表示部Ｄ１に表示された格納位置データＬ１を、データ取得部１６経由で取得し、記憶部Ｍ４に記憶させる。あるいは、格納位置処理部１８は、例えば、ベッドサイト端末Ｔａから通信部Ｃ４経由で受信した格納位置データＬ１を、記憶部Ｍ４に記憶させるとしてもよい。
【００９０】
患者情報処理部１９は、管理サーバＳｂから通信部Ｃ４経由で、パスワード認証用の表示データ７ｍ−１またはダウンロード実行用の表示データ７ｍを受信し、表示データ７ｍ−１または表示データ７ｍを記憶部Ｍ４に記憶させる。そして、患者情報処理部１９は、記憶部Ｍ４に記憶されている表示データ７ｍ−１または表示データ７ｍを表示部Ｄ２へ表示させる。
【００９１】
患者情報処理部１９は、記憶部Ｍ４に記憶されている格納位置データＬ１で指定されている患者情報ＰＩ１のダウンロードリクエストを通信部Ｃ４経由で管理サーバＳｂへ送信する。患者情報処理部１９は、ダウンロードリクエストの応答として、格納位置データＬ１で指定されている位置にある患者情報ＰＩ１を管理サーバＳｂから通信部Ｃ４経由で受信し、受信した患者情報ＰＩ１を記憶部Ｍ４に記憶させる。
【００９２】
患者端末Ｔｂにダウンロードされた患者情報ＰＩ１は、例えば所定の規格に準拠する形式へ変換されていてもよく、医療サーバＳａを管理する医療機関ではない他の医療機関へ提供可能である。
【００９３】
図２は、第１の実施形態に係る情報処理システム１で管理される各種のデータの例を示すブロック図である。
【００９４】
医療サーバＳａは、電子カルテ３を管理する。
【００９５】
管理サーバＳｂは、医療サーバＳａから受信した患者データ８、端末識別データＴ１，Ｔｎ、格納位置データＬ１，Ｌｎを管理する。
【００９６】
患者データ８は、電子カルテ３の一部または全部のデータである。患者データ８は、例えば、患者識別データＰＩＤ１，ＰＩＤｎと患者情報ＰＩ１，ＰＩｎとを含む。
【００９７】
患者識別データＰＩＤ１と患者情報ＰＩ１とは関連付けられている。患者識別データＰＩＤｎと患者情報ＰＩｎとは関連付けられている。
【００９８】
格納位置データＬ１は、患者情報ＰＩ１の位置を指定する。格納位置データＬｎは、患者情報ＰＩｎの位置を指定する。
【００９９】
ベッドサイド端末Ｔａは、ベッドサイド端末Ｔａに対応する患者Ｐに関する患者情報ＰＩ１の位置を指定する格納位置データＬ１を管理サーバＳｂから受信し、格納位置データＬ１を記憶する。
【０１００】
患者端末Ｔｂは、ベッドサイド端末Ｔａから格納位置データＬ１を取得する。例えば、患者端末Ｔｂは、ベッドサイド端末Ｔａに表示されている格納位置データＬ１を撮影することにより、格納位置データＬ１を取り込む。例えば、患者端末Ｔｂは、ベッドサイド端末Ｔａから格納位置データＬ１を受信し、格納位置データＬ１を記憶する。
【０１０１】
患者端末Ｔｂは、格納位置データＬ１によって指定されている患者情報ＰＩ１のダウンロードリクエストを、管理サーバＳｂへ送信する。
【０１０２】
管理サーバＳｂは、ダウンロードリクエストにしたがって、格納位置データＬ１によって指定されている患者情報ＰＩ１を患者端末Ｔｂへ送信する。
【０１０３】
患者端末Ｔｂは、管理サーバＳｂから例えば所定の規格に準拠している患者情報ＰＩ１を受信し、患者情報ＰＩ１を記憶する。
【０１０４】
図３は、管理サーバＳｂによって実行される患者データ取得処理の例を示すフローチャートである。
【０１０５】
管理サーバＳｂの患者データ処理部１０は、患者識別データＰＩＤ１，ＰＩＤｎと検索リクエストとを、医療サーバＳａへ送信する（Ｓ３０１）。
【０１０６】
患者データ処理部１０は、検索リクエストの応答として、患者識別データＰＩＤ１，ＰＩＤｎと患者情報ＰＩ１，ＰＩｎとを含む患者データ８を医療サーバＳａから受信する（Ｓ３０２）。
【０１０７】
患者データ処理部１０は、患者データ８を記憶部Ｍ２に記憶させ、端末識別データＴ１，Ｔｎと患者データ８の患者識別データＰＩＤ１，ＰＩＤｎとを関連付け、患者データ８の患者情報ＰＩ１，ＰＩｎの位置を指定する格納位置データＬ１，Ｌｎを記憶部Ｍ２に記憶させる（Ｓ３０３）。
【０１０８】
図４は、管理サーバＳｂによって実行される患者情報提供処理の例を示すフローチャートである。
【０１０９】
管理サーバＳｂのリクエスト処理部９は、ベッドサイド端末Ｔａから受信したリクエストにしたがって、リクエストに対応する表示データ７１〜７ｍ−２のいずれかをベッドサイド端末Ｔａへ送信する（Ｓ４０１）。
【０１１０】
管理サーバＳｂの格納位置処理部１１は、格納位置リクエストと、患者識別データＰＩＤ１または端末識別データＴ１とを受信する（Ｓ４０２）。
【０１１１】
格納位置処理部１１は、患者識別データＰＩＤ１に関連する患者情報ＰＩ１の格納位置データＬ１を求めるか、あるいは、端末識別データＴ１に関連する患者識別データＰＩＤ１を求め、患者識別データＰＩＤ１に関連する患者情報ＰＩ１の格納位置データＬ１を求める（Ｓ４０３）。
【０１１２】
格納位置処理部１１は、格納位置データＬ１、または、格納位置データＬ１を含む表示データを、ベッドサイド端末Ｔａへ送信する（Ｓ４０４）。
【０１１３】
第１の実施形態において、ベッドサイト端末Ｔａに受信され記憶された格納位置データＬ１は、患者端末Ｔｂへ提供される。
【０１１４】
管理サーバＳｂの患者情報処理部１２は、患者端末Ｔｂから、格納位置データＬ１によって指定される位置の患者情報ＰＩ１のダウンロードリクエストを受信する（Ｓ４０５）。
【０１１５】
患者情報処理部１２は、ダウンロードリクエストにしたがって、格納位置データＬ１によって指定されている位置にあり例えば所定の規格に準拠している患者情報ＰＩ１を、患者端末Ｔｂへ送信する（Ｓ４０６）。患者端末Ｔｂは、管理サーバＳｂから受信した患者情報ＰＩ１を記憶する。
【０１１６】
以下において、図５ないし図８を用いてベッドサイド端末Ｔａの表示部Ｄ１によって表示される第１ないし第４の画面Ｉ１〜Ｉ４を説明する。第１ないし第４の画面Ｉ１〜Ｉ４は、例えば、管理サーバＳｂからベッドサイド端末Ｔａへ送信された表示データ７１〜７４に基づいて、ベッドサイド端末Ｔａの表示部Ｄ１により表示される。
【０１１７】
図５は、ベッドサイド端末Ｔａの表示部Ｄ１によって表示される第１の画面Ｉ１の例を示す図である。
【０１１８】
第１の画面Ｉ１は、例えば、患者識別データＰＩＤ１の一例である患者の氏名、患者情報ＰＩ１に含まれている情報などを含む。
【０１１９】
図６は、ベッドサイド端末Ｔａの表示部Ｄ１によって表示される第２の画面Ｉ２の例を示す図である。
【０１２０】
第２の画面Ｉ２は、例えばスタッフＩＤなどのようなスタッフＳを認証するために使用されるスタッフ識別データの入力を促すための画面であり、ベッドサイド端末Ｔａの表示部Ｄ１によって表示される。
【０１２１】
スタッフＳは、第２の画面Ｉ２上で、例えばスタッフＩＤを入力し、決定ボタン２１を押下する。
【０１２２】
図７は、ベッドサイド端末Ｔａの表示部Ｄ１によって表示される第３の画面Ｉ３の例を示す図である。
【０１２３】
第３の画面Ｉ３は、第２の画面Ｉ２の決定ボタン２１がスタッフＳにより押下され、管理サーバＳｂがスタッフＩＤの認証に成功した場合に、ベッドサイド端末Ｔａの表示部Ｄ１によって表示される。
【０１２４】
第３の画面Ｉ３は、スタッフメニュー画面である。第３の画面Ｉ３は、例えば、患者登録２２、ピクトグラム編集２３、バイタル表示２４、３点認証２５、患者登録解除２６、患者情報出力２７、検査結果２８、バイタル入力２９などの項目を表示している。
【０１２５】
第１の実施形態では、スタッフＳが患者情報出力２７を指定したものとする。患者情報出力２７がスタッフＳによって指定された場合、ベッドサイド端末Ｔａは、格納位置リクエストと、患者識別データＰＩＤ１または端末識別データＴ１とを、管理サーバＳｂへ送信する。
【０１２６】
図８は、ベッドサイド端末Ｔａの表示部Ｄ１によって表示される第４の画面Ｉ４の例を示す図である。
【０１２７】
第４の画面Ｉ４は、第３の画面Ｉ３の患者情報出力２７がスタッフＳによって指定された場合に、ベッドサイド端末Ｔａの表示部Ｄ１によって表示される。
【０１２８】
第４の画面Ｉ４は、例えば表示データ７４を表示した画面である。表示データ７４は、例えば、注意事項を説明しているテキストデータ３０、データ有効期限３１、格納位置データＬ１、ワンタイムパスワード３２を含む。
【０１２９】
データ有効期限３１は、格納位置データＬ１およびワンタイムパスワード３２の有効期限である。管理サーバＳｂの格納位置処理部１１は、データ有効期限３１が経過した場合に、格納位置データＬ１およびワンタイムパスワード３２を消去または無効化してもよい。
【０１３０】
図８の例においては、格納位置データＬ１が２次元コードの場合を例として図示している。
【０１３１】
ワンタイムパスワード３２は、格納位置データＬ１の示す位置からの患者情報ＰＩ１のダウンロードを許可するか否かの判断に使用される。管理サーバＳｂの患者情報処理部１２は、ワンタイムパスワード３２を用いた認証が成功した場合に、格納位置データＬ１の示す位置からの患者情報ＰＩ１のダウンロードを許可する。
【０１３２】
図９は、患者端末Ｔｂによる格納位置データＬ１の取得方法の例を示す図である。
【０１３３】
例えば、患者端末Ｔｂは、例えばカメラなどのようなデータ取得部１６により、第４の画面Ｉ４上に表示されている格納位置データＬ１を撮影する。これにより、患者端末Ｔｂは、格納位置データＬ１を取得し、記憶する。
【０１３４】
以下において、図１０および図１１を用いて患者端末Ｔｂの表示部Ｄ２によって表示される第５の画面Ｉ５および第６の画面Ｉ６を説明する。第５の画面Ｉ５および第６の画面Ｉ６は、例えば、管理サーバＳｂから患者端末Ｔｂへ送信された表示データ７５，７６に基づいて、患者端末Ｔｂの表示部Ｄ２によって表示される。
【０１３５】
図１０は、患者端末Ｔｂの表示部Ｄ２によって表示される第５の画面Ｉ５の例を示す図である。
【０１３６】
ベッドサイド端末Ｔａから格納位置データＬ１を取得した患者端末Ｔｂは、パスワード認証リクエストを管理サーバＳｂへ送信する。
【０１３７】
管理サーバＳｂは、患者端末Ｔｂから受信したパスワード認証リクエストに応じて、表示データ７５を患者端末Ｔｂへ送信する。
【０１３８】
患者端末Ｔｂは、表示データ７５に基づいて第５の画面Ｉ５を表示する。
【０１３９】
第５の画面Ｉ５は、ワンタイムパスワードの入力画面である。患者Ｐまたは患者Ｐの家族は、第５の画面Ｉ５に対して、第４の画面Ｉ４上のワンタイムパスワード３２を入力し、決定ボタン３３を押下する。
【０１４０】
すると、患者端末Ｔｂは、管理サーバＳｂへワンタイムパスワード３２を送信する。管理サーバＳｂは、ワンタイムパスワード３２が正当か否か判断する。
【０１４１】
図１１は、患者端末Ｔｂの表示部Ｄ２によって表示される第６の画面Ｉ６の例を示す図である。
【０１４２】
管理サーバＳｂは、ワンタイムパスワード３２が正当な場合に、表示データ７６を患者端末Ｔｂへ送信する。
【０１４３】
患者端末Ｔｂは、表示データ７６に基づいて第６の画面Ｉ６を表示する。
【０１４４】
第６の画面Ｉ６は、ダウンロードボタン３４を含む。
【０１４５】
患者Ｐまたは患者Ｐの家族は、患者情報ＰＩ１のダウンロードを希望する場合に、第６の画面Ｉ６のダウンロードボタン３４を押下する。
【０１４６】
すると、患者端末Ｔｂは、ベッドサイド端末Ｔａから取得した格納位置データＬ１の示す位置の患者情報ＰＩ１のダウンロードリクエストを、管理サーバＳｂへ送信する。
【０１４７】
管理サーバＳｂは、患者端末Ｔｂからダウンロードリクエストを受信すると、ダウンロードリクエストに応じて、格納位置データＬ１の示す位置の患者情報ＰＩ１を例えば所定の規格に準拠したフォーマットに変換し、変換された患者情報ＰＩ１を患者端末Ｔｂへ送信する。
【０１４８】
患者端末Ｔｂは、管理サーバＳｂから患者情報ＰＩ１を受信し、記憶する。
【０１４９】
以上説明した第１の実施形態においては、患者Ｐまたは患者Ｐの家族は、ベッドサイド端末Ｔａが所有している格納位置データＬ１を、患者端末Ｔｂにより取り込むことができる。
【０１５０】
そして、患者Ｐまたは患者Ｐの家族は、患者端末Ｔｂに取り込んだ格納位置データＬ１により、管理サーバＳｂの患者情報ＰＩ１を患者端末Ｔｂへダウンロードすることができる。
【０１５１】
このような第１の実施形態において、患者Ｐまたは患者Ｐの家族は、医療機関の施設内を移動することなく、ベッドサイドにおいて患者情報ＰＩ１を取得することができ、感染症に感染することを防止することができる。また、患者情報ＰＩ１を提供する際の患者Ｐまたは患者Ｐの家族の負荷を軽減することができる。
【０１５２】
第１の実施形態において、医療機関は、スタッフＳがベッドサイド端末Ｔａを操作することで、患者情報ＰＩ１を患者Ｐまたは患者Ｐの家族へ提供することができるため、患者情報ＰＩ１を提供する際の医療機関の負荷を軽減することができる。
【０１５３】
第１の実施形態においては、患者Ｐまたは患者Ｐの家族が容易に患者情報ＰＩ１を取得することができるため、リモート診断を促進させることができる。管理サーバＳｂから患者端末Ｔｂへダウンロードされた患者情報ＰＩ１は、例えば所定の規格に準拠したフォーマットへ変換されていてもよい。医療サーバＳａを運営する医療機関ではない他の医療機関などにおいて患者情報ＰＩ１を様々な用途で使用することができ、患者情報ＰＩ１の２次的利用を促進させることができる。
【０１５４】
第１の実施形態においては、患者情報ＰＩ１をダウンロードする前に、有効期限のあるワンタイムパスワード３２による認証が実行される。このため、患者情報ＰＩ１の漏洩を防止することができ、セキュリティを強化することができる。
【０１５５】
（第２の実施形態）
第２の実施形態においては、上記第３の画面Ｉ３の３点認証２５がスタッフＳによって押下された場合に表示される画面の例を説明する。第２の実施形態では、例えば患者識別データＰＩＤ１、スタッフ識別データ、対象物識別データなどのような３点認証に使用されるデータがバーコードで表示される場合を例として説明する。しかしながら、３点認証に使用されるデータは、例えば２次元コードなどのような他のデータ形式で表示されてもよい。
【０１５６】
医療機関では、患者Ｐ、スタッフＳ、例えば薬剤などの対象物、の３点を、医療行為の実施前に確認する３点認証が行われている。
【０１５７】
医療機関は、３点認証を行うために、患者Ｐのリストバンドに、例えばバーコードなどのような患者識別データＰＩＤ１を付している。３点認証の際には、リストバンドの患者識別データＰＩＤ１がバーコードリーダによって読み取られる。
【０１５８】
しかしながら、例えば、患者Ｐが就寝中である場合、または、患者Ｐの体位交換が困難な場合などのように、患者Ｐのリストバンドの患者識別データＰＩＤ１をバーコードリーダにより読み取ることが困難な場合がある。
【０１５９】
第２の実施形態では、このように患者Ｐのリストバンドの患者識別データＰＩＤ１をバーコードリーダにより読み取ることが困難な場合に、ベッドサイド端末Ｔａに患者識別データＰＩＤ１を表示させ、ベッドサイド端末Ｔａに表示された患者識別データＰＩＤ１をバーコードリーダにより読み取り可能とする。
【０１６０】
図１２は、ベッドサイド端末Ｔａの表示部Ｄ１によって表示される第７の画面Ｉ７の例を示す図である。
【０１６１】
ベッドサイド端末Ｔａのリクエスト処理部１４は、スタッフＳから上記第３の画面Ｉ３の３点認証２５の押下を操作受付部Ｒ１経由で受け付けると、３点認証リクエストを通信部Ｃ３経由で管理サーバＳｂへ送信する。
【０１６２】
管理サーバＳｂのリクエスト処理部９は、３点認証リクエストを、ベッドサイド端末Ｔａから通信部Ｃ２経由で受信する。管理サーバＳｂのリスエスト処理部９は、３点認証リクエストに応じて、患者識別データＰＩＤ１、スタッフ識別データＳＩＤ１〜ＳＩＤ３、対象物識別データＯＩＤ１を含む表示データ７７を、通信部Ｃ２経由でベッドサイド端末Ｔａへ送信する。
【０１６３】
ベッドサイド端末Ｔａのリクエスト処理部１４は、表示データ７７を管理サーバＳｂから通信部Ｃ３経由で受信し、記憶部Ｍ３に記憶させる。そして、ベッドサイド端末Ｔａのリクエスト処理部１４は、表示データ７７を表示部Ｄ１に表示させる。これにより第７の画面Ｉ７が表示部Ｄ１に表示される。
【０１６４】
第７の画面Ｉ７は、例えば３点認証に使用される患者識別データＰＩＤ１、スタッフ識別データＳＩＤ１〜ＳＩＤ３、対象物識別データＯＩＤ１を含む。
【０１６５】
スタッフＳは、ベッドサイド端末Ｔａの表示部Ｄ１に表示された患者識別データＰＩＤ１を、患者Ｐのリストバンドに付されているバーコードに代えてバーコードリーダにより読み取る。
【０１６６】
スタッフＳは、３点認証のために、ベッドサイド端末Ｔａの表示部Ｄ１に表示されたスタッフ識別データＳＩＤ１〜ＳＩＤ３のいずれかをバーコードリーダにより読み取るとしてもよい。
【０１６７】
スタッフＳは、３点認証のために、対象物識別データＯＩＤ１を、バーコードリーダにより読み取るとしてもよい。
【０１６８】
以上説明した第２の実施形態においては、医療機関における３点認証の際の患者Ｐの負荷およびスタッフＳの負荷を軽減することができる。
【０１６９】
なお、第２の実施形態では、３点認証に使用されるデータがバーコードとしてベッドサイド端末Ｔａの表示部Ｄ１に表示される場合を例として説明しているが、患者情報ＰＩ１に含まれる他のデータがバーコードとしてベッドサイド端末Ｔａの表示部Ｄ１に表示されてもよい。
【０１７０】
（第３の実施形態）
第３の実施形態では、上記第１および第２の実施形態の変形例を説明する。
【０１７１】
第３の実施形態では、患者データ８と端末データとがベッドサイド端末Ｔａの位置データにより関連付けられる情報処理システムを説明する。
【０１７２】
図１３は、第３の実施形態に係る情報処理システム３５の例を示すブロック図である。
【０１７３】
情報処理システム３５は、医療サーバＳａと、管理サーバＳｂと、ベッドサイド端末Ｔａと、管理端末Ｔｃとを備える。医療サーバＳａと、管理サーバＳｂと、ベッドサイド端末Ｔａと、管理端末Ｔｃとは、例えば専用回線、インターネット、または、ＬＡＮ（Local Area Network）などのようなネットワークＮ経由で他の装置と通信可能である。以下においては、説明を簡略化するため、ネットワークＮを省略して説明する場合がある。
【０１７４】
具体的には、情報処理システム３５において、管理サーバＳｂは、医療サーバＳａ、ベッドサイド端末Ｔａ、および、管理端末Ｔｃと通信可能である。
【０１７５】
管理端末Ｔｃは、例えばコンピュータまたは情報処理装置である。
【０１７６】
管理サーバＳｂの記憶部Ｍ２は、例えば、ソフトウェア６、端末データ３６、患者識別データＰＩＤ１、補充位置データ３７、指定情報３７ａ、患者データ８、ピクトグラムデータ３８、表示データ７８を記憶する。
【０１７７】
管理サーバＳｂのプロセッサＰ２は、例えば、記憶部Ｍ２に記憶されているソフトウェア６を実行することにより、編集部３９、取得部４０、位置補充部４１、選択部４２ａ、生成部４２ｂ、送信部４３としての機能を実現する。ソフトウェア６は、例えば、医療サーバＳａと連携して表示データを生成するためのアプリケーション・ソフトウェアを含むとしてもよい。
【０１７８】
ベッドサイド端末Ｔａの記憶部Ｍ３は、例えば、ソフトウェア１３、ベッドサイド端末Ｔａの第１の位置データ４４ａ、表示データ７８を記憶する。
【０１７９】
ベッドサイド端末ＴａのプロセッサＰ３は、例えば、記憶部Ｍ３に記憶されているソフトウェア１３を実行することにより、受付部４５、送信部４６、受信部４７、表示制御部４８としての機能を実現する。
【０１８０】
管理端末Ｔｃは、例えば、通信部Ｃ５、操作受付部Ｒ３、表示部Ｄ３、記憶部Ｍ５、プロセッサＰ５などを備える。
【０１８１】
記憶部Ｍ５は、例えば、ソフトウェア４９、患者識別データＰＩＤ１、補充位置データ３７、指定情報３７ａを記憶する。
【０１８２】
プロセッサＰ５は、例えば、記憶部Ｍ５に記憶されているソフトウェア４９を実行することにより、受付部５１、送信部５２としての機能を実現する。ソフトウェア４９は、例えば、ＯＳ、ブラウザなどを含むとしてもよい。
【０１８３】
以下で、第３の実施形態に係る医療サーバＳａ、管理サーバＳｂ、ベッドサイド端末Ｔａ、管理端末Ｔｃを順に説明する。
【０１８４】
まず、医療サーバＳａを説明する。
【０１８５】
第３の実施形態において、電子カルテ３は、例えば、患者識別データＰＩＤ１、患者Ｐに関する位置を示す第２の位置データ、担当の医師を識別するための医師識別データ、患者Ｐに関する例えば診察内容、診断結果、処方箋、経過情報などのような診療データ、患者Ｐが入院かまたは通院かを示す入院／通院データを関連付けた患者情報８ａを含む。ここで、第２の位置データは、例えば、病棟／病室／ベッドを識別するためのデータでもよい。患者情報８ａは、例えば、上記第１の実施形態で説明した患者識別データＰＩＤ１と患者情報ＰＩ１とを含むとしてもよい。
【０１８６】
第３の実施形態において、データ検索部５は、例えば、管理サーバＳｂからネットワークＮおよび通信部Ｃ１経由で、入院している患者Ｐに関する患者情報８ａの検索コマンドまたは検索リクエストを受信する。そして、データ検索部５は、電子カルテ３から、入院／通院データに基づいて入院している患者Ｐに関する患者情報８ａを含む患者データ８を抽出し、抽出した患者データ８を通信部Ｃ１およびネットワークＮ経由で管理サーバＳｂへ送信する。
【０１８７】
また、第３の実施形態において、データ検索部５は、例えば、管理サーバＳｂからネットワークＮおよび通信部Ｃ１経由で、患者識別データＰＩＤ１と、検索コマンドまたは検索リクエストとを受信する。そして、データ検索部５は、電子カルテ３から、患者識別データＰＩＤ１に関する患者情報８ａを含む患者データ８を抽出し、抽出した患者データ８を通信部Ｃ１およびネットワークＮ経由で管理サーバＳｂへ送信する。
【０１８８】
次に、管理サーバＳｂを説明する。
【０１８９】
第３の実施形態において、管理サーバＳｂは、ベッドサイド端末Ｔａの第１の位置データ４４ａと端末識別データＴ１とを関連付けた端末データ３６を管理している。
【０１９０】
管理サーバＳｂは、ベッドサイド端末ＴａからネットワークＮ経由で、ベッドサイド端末Ｔａを示す端末識別データＴ１とベッドサイド端末Ｔａの第１の位置データ４４ａとを受信し、端末識別データＴ１とベッドサイド端末Ｔａの第１の位置データ４４ａとを関連付けて端末データ３６へ登録する。
【０１９１】
管理サーバＳｂは、例えば、管理サーバＳｂが医療サーバＳａと第１の通信方式（例えば、File Transfer Protocolを用いた通信）によりデータ通信を行う場合に、周期的に、入院している患者Ｐに関する患者情報８ａの検索コマンドまたは検索リクエストを、ネットワークＮ経由で医療サーバＳａへ送信する。そして、管理サーバＳｂは、応答として、入院している患者Ｐに関する患者情報８ａを含む患者データ８を、医療サーバＳａからネットワークＮ経由で受信する。
【０１９２】
管理サーバＳｂは、例えば、管理サーバＳｂが医療サーバＳａと第２の通信方式（例えば、ソケット通信）によりデータ通信を行う場合に、管理端末ＴｃからネットワークＮ経由で患者識別データＰＩＤ１を受信し、患者識別データＰＩＤ１と検索コマンドまたは検索リクエストとを、ネットワークＮ経由で医療サーバＳａへ送信する。そして、管理サーバＳｂは、応答として、患者識別データＰＩＤ１に関する患者情報８ａを含む患者データ８を、医療サーバＳａからネットワークＮ経由で受信する。
【０１９３】
なお、管理サーバＳｂは、例えば、一度、患者識別データＰＩＤ１を用いて患者データ８を取得すると、その後は、患者データ８に含まれている患者識別データＰＩＤ１に基づいて、周期的に、医療サーバＳａから患者データ８を取得してもよい。
【０１９４】
管理サーバＳｂは、患者データ８の中から、ベッドサイド端末Ｔａの第１の位置データ４４ａと関連する第２の位置データを含む患者情報８ａを選択する。
【０１９５】
そして、管理サーバＳｂは、選択した患者情報８ａに基づいて表示データ７８を生成し、端末識別データＴ１で示されるベッドサイド端末Ｔａへ表示データ７８を送信する。
【０１９６】
ソフトウェア６は、プロセッサＰ２によって実行されることにより、医療サーバＳａと連携し、表示データ７８を生成し、表示データ７８をベッドサイド端末Ｔａへ送信するための各種機能を実現する。
【０１９７】
端末データ３６は、ベッドサイド端末Ｔａの情報を記録しているデータである。第３の実施形態において、端末データ３６は、ベッドサイド端末Ｔａを示す端末識別データＴ１と、ベッドサイド端末Ｔａの第１の位置データ４４ａとを関連付けている。
【０１９８】
第３の実施形態において、患者識別データＰＩＤ１は、ベッドサイド端末Ｔａではない例えば管理端末Ｔｃなどのコンピュータから管理サーバＳｂへ送信されるものとする。
【０１９９】
患者情報８ａは、例えば、患者識別データＰＩＤ１、第２の位置データ、医師識別データ、診療データ、入院／通院データなどを含むとしてもよい。診療データおよび入院／通院データは、患者情報ＰＩ１としてもよい。
【０２００】
補充位置データ３７は、端末データ３６の第１の位置データ４４ａと患者データ８の第２の位置データ４４ｂとのマッチングにおいて第２の位置データ４４ｂに不足する情報がある場合に、当該第２の位置データ４４ｂに対する補充に用いられるデータである。
【０２０１】
指定情報３７ａは、患者データ８において補充位置データ３７の補充先（組み込み先）となる第２の位置データ４４ｂを指定する。
【０２０２】
ピクトグラムデータ３８は、ベッドサイド端末Ｔａに送信される表示データ７８を生成するために利用されるピクトグラムを含む。
【０２０３】
表示データ７８は、例えば、端末データ３６に含まれているベッドサイド端末Ｔａの第１の位置データ４４ａと整合する第２の位置データを含む患者情報８ａと、ピクトグラムデータ３８とに基づいて生成され、ネットワークＮ経由でベッドサイド端末Ｔａへ送信される画面表示のためのデータである。
【０２０４】
編集部３９は、例えば他の装置からネットワークＮおよび通信部Ｃ２経由でコマンドを受信し、コマンドにしたがって記憶部Ｍ２の端末データ３６に対するデータの登録、編集、管理、更新、または、削除などを行う。
【０２０５】
編集部３９は、例えば、ベッドサイド端末Ｔａまたは管理端末ＴｃからネットワークＮおよび通信部Ｃ２経由でベッドサイド端末Ｔａの端末識別データＴ１と第１の位置データ４４ａとを受信し、受信したベッドサイド端末Ｔａの端末識別データＴ１と第１の位置データ４４ａとを関連付けて端末データ３６に登録する。
【０２０６】
取得部４０は、管理サーバＳｂのプロセッサＰ２および通信部Ｃ２が医療サーバＳａと第１の通信方式によりデータ通信を行う場合に、周期的に、入院している患者Ｐに関する患者情報８ａの検索コマンドを、通信部Ｃ２およびネットワークＮ経由で医療サーバＳａへ送信する。取得部４０は、入院している患者Ｐに関する患者情報８ａの検索コマンドの応答として、電子カルテ３に含まれており入院している患者Ｐに関する患者情報８ａを含む患者データ８を、医療サーバＳａからネットワークＮおよび通信部Ｃ２経由で受信する。そして、取得部４０は、患者データ８を記憶部Ｍ２へライトする。
【０２０７】
取得部４０は、管理サーバＳｂのプロセッサＰ２および通信部Ｃ２が医療サーバＳａと第２の通信方式によりデータ通信を行う場合に、例えば、ベッドサイド端末Ｔａではない管理端末ＴｃからネットワークＮおよび通信部Ｃ２経由で患者識別データＰＩＤ１を受信する。さらに、取得部４０は、患者識別データＰＩＤ１と検索コマンドとを、通信部Ｃ２およびネットワークＮ経由で医療サーバＳａへ送信する。管理サーバＳｂは、患者識別データＰＩＤ１と検索コマンドの応答として、患者識別データＰＩＤ１の示す患者Ｐに関する患者情報８ａを含む患者データ８を、医療サーバＳａからネットワークＮおよび通信部Ｃ２経由で受信する。そして、取得部４０は、患者データ８を記憶部Ｍ２へライトする。その後、取得部４０は、患者データ８に含まれている患者識別データＰＩＤ１と検索コマンドとを、周期的に、通信部Ｃ２およびネットワークＮ経由で医療サーバＳａへ送信し、同様の処理を繰り返してもよい。
【０２０８】
第３の実施形態において、患者データ８に含まれている第２の位置データが端末データ３６に含まれているベッドサイド端末Ｔａの第１の位置データ４４ａの一部である場合がある。
【０２０９】
例えば、患者データ８に含まれている第２の位置データは、病棟および病室の識別データを含むが、ベッドの識別データまでは含まない場合がある。
【０２１０】
このように、第１の位置データ４４ａと第２の位置データとのマッチングにおいて第２の位置データに情報の不足がある場合、位置補充部４１は、例えば、患者データ８の少なくとも一部と端末データ３６の少なくとも一部とを、通信部Ｃ２およびネットワークＮ経由で管理端末Ｔｃへ送信する。管理端末Ｔｃは、管理サーバＳｂから患者データ８の少なくとも一部と端末データ３６の少なくとも一部とを受信し、表示する。管理端末Ｔｃは、管理者Ｍによる操作にしたがって、第１の位置データ４４ａを用いたマッチングで不足する情報（例えば、ベッドの識別データ）を補充するための補充位置データ３７と、補充先となる第２の位置データを指定する指定情報３７ａとを受け付ける。管理端末Ｔｃは、補充位置データ３７と指定情報３７ａとを、ネットワークＮ経由で管理サーバＳｂへ送信する。位置補充部４１は、補充位置データ３７および指定情報３７ａを、管理端末ＴｃからネットワークＮおよび通信部Ｃ２経由で受信する。
【０２１１】
すると、位置補充部４１は、患者データ８における指定情報３７ａによって指定される第２の位置データに、補充位置データ３７を組み込む。
【０２１２】
これにより、第１の位置データ４４ａと第２の位置データとのマッチングが可能になる。
【０２１３】
選択部４２ａは、記憶部Ｍ２に記憶されている端末データ３６と患者データ８とに基づいて、患者データ８の中から、端末データ３６に含まれているベッドサイド端末Ｔａの第１の位置データ４４ａと整合する第２の位置データを含む患者情報８ａを選択する。
【０２１４】
生成部４２ｂは、選択部４２ａによって選択された患者情報８ａと、記憶部Ｍ２に記憶されているピクトグラムデータ３８とに基づいて、患者情報８ａに関する表示データ７８を生成し、記憶部Ｍ２にライトする。
【０２１５】
送信部４３は、記憶部Ｍ２から表示データ７８をリードする。そして、送信部４３は、記憶部Ｍ２に記憶されている端末データ３６において第１の位置データ４４ａと関連付けられている端末識別データＴ１によって示されるベッドサイト端末Ｔａに、通信部Ｃ２およびネットワークＮ経由で表示データ７８を送信する。
【０２１６】
次に、ベッドサイド端末Ｔａを説明する。
【０２１７】
受付部４５は、ベッドサイド端末ＴａのユーザＵから操作受付部Ｒ１経由で、ベッドサイド端末Ｔａの第１の位置データ４４ａを受け付ける。そして、受付部４５は、ベッドサイド端末Ｔａの第１の位置データ４４ａを記憶部Ｍ３にライトする。
【０２１８】
送信部４６は、記憶部Ｍ３からベッドサイドの第１の位置データ４４ａをリードし、端末識別データＴ１とベッドサイドの第１の位置データ４４ａとを、通信部Ｃ３およびネットワークＮ経由で管理サーバＳｂへ送信する。
【０２１９】
ここで、端末識別データＴ１はソフトウェア１３に含まれている（設定されている）としてもよい。また、受付部４５は、端末識別データＴ１を、ユーザＵから操作受付部Ｒ１経由で取得してもよい。
【０２２０】
受信部４７は、管理サーバＳｂからネットワークＮおよび通信部Ｃ３経由で表示データ７８を受信し、表示データ７８を記憶部Ｍ３へライトする。
【０２２１】
表示制御部４８は、記憶部Ｍ３から表示データ７８をリードし、表示データ７８を表示部Ｄ１へ表示させるための制御を実行する。
【０２２２】
次に、管理端末Ｔｃを説明する。
【０２２３】
管理端末Ｔｃは、管理者Ｍが操作する。管理端末Ｔｃは、ベッドサイド端末Ｔａとは異なる装置である。管理端末Ｔｃは、例えば、医療サーバＳａで管理されている電子カルテ３を操作するためのコンピュータでもよい。
【０２２４】
受付部５１は、管理サーバＳｂのプロセッサＰ２および通信部Ｃ２が医療サーバＳａと第２の通信方式によりデータ通信を行う場合に、管理者Ｍから操作受付部Ｒ３経由で、患者識別データＰＩＤ１を受け付ける。そして、受付部５１は、患者識別データＰＩＤ１を記憶部Ｍ５にライトする。
【０２２５】
受付部５１は、端末データ３６の第１の位置データ４４ａと患者データ８の第２の位置データとのマッチングにおいて第２の位置データに情報の不足がある場合に、例えば、管理サーバＳｂから、患者データ８の少なくとも一部と端末データ３６の少なくとも一部とを、ネットワークＮおよび通信部Ｃ５経由で受信する。受付部５１は、管理サーバＳｂから受信した患者データ８の少なくとも一部と端末データ３６の少なくとも一部とを表示部Ｄ２へ表示する。受付部５１は、管理者Ｍが操作する操作受付部Ｒ３経由で、補充位置データ３７と指定情報３７ａとを受け付ける。そして、受付部５１は、補充位置データ３７と指定情報３７ａとを記憶部Ｍ３にライトする。
【０２２６】
送信部５２は、管理サーバＳｂのプロセッサＰ２および通信部Ｃ２が医療サーバＳａと第２の通信方式によりデータ通信を行う場合に、患者識別データＰＩＤ１を記憶部Ｍ５からリードし、患者識別データＰＩＤ１を通信部Ｃ５およびネットワークＮ経由で管理サーバＳｂへ送信する。
【０２２７】
送信部５２は、端末データ３６の第１の位置データ４４ａと患者データ８の第２の位置データとのマッチングにおいて第２の位置データに情報の不足がある場合に、補充位置データ３７と指定情報３７ａとを記憶部Ｍ５からリードし、補充位置データ３７と指定情報３７ａとを、通信部Ｃ５およびネットワークＮ経由で管理サーバＳｂへ送信する。
【０２２８】
図１４は、電子カルテ３と患者データ８と端末データ３６と補充位置データ３７と指定情報３７ａとの関係の例を示す図である。
【０２２９】
電子カルテ３は、例えば、患者ごとに、患者識別データ、第２の位置データ、医師識別データ、診療データ、入院／通院データを関連付けた患者情報８ａを含む。図１４の例では、電子カルテ３は、患者Ｐに関する患者識別データＰＩＤ１、第２の位置データ４４ｂ、医師識別データ５３、診療データ５４、入院／通院データ５５を関連付けた患者情報８ａを含む。
【０２３０】
患者データ８は、例えば、電子カルテ３から、患者Ｐが入院していることを示す入院／通院データ５５を含む患者情報８ａを抽出したデータとしてもよい。
【０２３１】
あるいは、患者データ８は、例えば、電子カルテ３から、指定された患者識別データＰＩＤ１を含む患者情報８ａを抽出したデータとしてもよい。
【０２３２】
補充位置データ３７は、患者データ８において指定情報３７ａによって指定されている第２の位置データ４４ｂに組み込まれる。
【０２３３】
端末データ３６では、端末識別データＴ１とベッドサイド端末Ｔａの第１の位置データ４４ａとが関連付けられている。
【０２３４】
第３の実施形態において、患者データ８に含まれている第２の位置データ４４ｂと端末データ３６に含まれている第１の位置データ４４ａとはマッチング可能である。したがって、管理サーバＳｂは、患者データ８の患者情報８ａに基づいて生成された表示データ７８を送信する宛先となる端末識別データＴ１を取得可能である。
【０２３５】
図１５は、第３の実施形態に係る情報処理システム３５の処理の一例を示すフローチャートである。
【０２３６】
ステップＳ１５０１ａにおいて、医療サーバＳａは、電子カルテ３に、患者識別データＰＩＤ１、第２の位置データ４４ｂ、医師識別データ５３、診療データ５４、入院／通院データ５５などを含む患者情報８ａを登録する。
【０２３７】
ステップＳ１５０１ｂにおいて、管理サーバＳｂは、電子カルテ３のうちの少なくとも一部であり患者情報８ａを含む患者データ８を取得する。
【０２３８】
このステップＳ１５０１ｂにおいて、管理サーバＳｂは、ベッドサイド端末Ｔａではない装置から患者識別データＰＩＤ１を受信し、医療サーバＳａから患者識別データＰＩＤ１に関連する患者情報８ａを含む患者データ８を取得してもよい。
【０２３９】
ステップＳ１５０１ｂにおいて、管理サーバＳｂは、管理端末Ｔｃから受信した補充位置データ３７および指定情報３７ａに基づいて、患者データ８に含まれており指定情報３７ａによって指定される第２の位置データ４４ｂに、補充位置データ３７を補充してもよい。
【０２４０】
ステップＳ１５０２において、管理サーバＳｂは、ベッドサイド端末Ｔａから端末識別データＴ１とベッドサイド端末Ｔａの第１の位置データ４４ａとを受信し、端末データ３６に、端末識別データＴ１およびベッドサイド端末Ｔａの第１の位置データ４４ａを登録する。
【０２４１】
なお、ステップＳ１５０２は、ステップＳ１５０１ａの先に実行されてもよく、後に実行されてもよい。また、ステップ１５０２は、ステップＳ１５０１ｂの先に実行されてもよく、後に実行されてもよい。
【０２４２】
ステップＳ１５０３において、管理サーバＳｂは、患者データ８の第２の位置データ４４ｂが端末データ３６の第１の位置データ４４ａと整合する場合に、患者データ８から第２の位置データ４４ｂを含む患者情報８ａを選択する。
【０２４３】
ステップＳ１５０４において、管理サーバＳｂは、選択した患者情報８ａとピクトグラムデータ３８とに基づいて、ベッドサイド端末Ｔａに表示させるための表示データ７８を生成する。
【０２４４】
ステップＳ１５０５において、管理サーバＳｂは、端末識別データＴ１に基づいて、表示データ７８を、ベッドサイト端末Ｔａに送信する。
【０２４５】
ステップＳ１５０６において、ベッドサイド端末Ｔａは、管理サーバＳｂから表示データ７８を受信する。
【０２４６】
ステップＳ１５０７において、ベッドサイド端末Ｔａは、管理サーバＳｂから受信した表示データ７８を表示する。
【０２４７】
図１６は、第３の実施形態に係る情報処理システム３５の概略を例示する図である。
【０２４８】
ベッドサイド端末Ｔａは、ユーザＵからベッドサイド端末Ｔａの第１の位置データ４４ａを受け付け、端末識別データＴ１とベッドサイド端末Ｔａの第１の位置データ４４ａとを、管理サーバＳｂへ送信する。
【０２４９】
管理サーバＳｂは、ベッドサイド端末Ｔａから端末識別データＴ１とベッドサイド端末Ｔａの第１の位置データ４４ａとを受信し、端末識別データＴ１とベッドサイド端末Ｔａの第１の位置データ４４ａとを端末データ３６へ登録する。
【０２５０】
管理サーバＳｂは、例えば、入院している患者Ｐに関する患者情報８ａの検索コマンドを医療サーバＳａへ送信し、応答として、電子カルテ３から抽出された入院している患者Ｐに関する患者情報８ａを含む患者データ８を医療サーバＳａから受信し、患者データ８を記憶する。
【０２５１】
ベッドサイド端末Ｔａではない管理端末Ｔｃは、管理者Ｍから患者識別データＰＩＤ１を受け付ける場合がある。この場合、管理端末Ｔｃは、患者識別データＰＩＤ１を管理サーバＳｂへ送信する。管理サーバＳｂは、管理端末Ｔｃから患者識別データＰＩＤ１を受信すると、患者識別データＰＩＤ１と検索コマンドまたは検索リクエストとを医療サーバＳａへ送信する。そして、管理サーバＳｂは、応答として、電子カルテ３から抽出された患者識別データＰＩＤ１に対応する患者情報８ａを含む患者データ８を医療サーバＳａから受信し、患者データ８を記憶する。
【０２５２】
管理端末Ｔｃは、管理者Ｍから補充位置データ３７と指定情報３７ａとを受け付ける場合がある。この場合、管理端末Ｔｃは、補充位置データ３７と指定情報３７ａとを管理サーバＳｂへ送信する。管理サーバＳｂは、指定情報３７ａに基づいて、患者データ８内の患者情報８ａの第２の位置データ４４ｂに補充位置データ３７を組み込む。
【０２５３】
管理サーバＳｂは、患者データ８において、端末データ３６の第１の位置データ４４ａと整合する第２の位置データ４４ｂを含む患者情報８ａを選択し、選択された患者情報８ａとピクトグラムデータ３８とに基づいて、表示データ７８を生成する。
【０２５４】
管理サーバＳｂは、端末データ３６において第１の位置データ４４ａと関連付けられている端末識別データＴ１によって示されるベッドサイド端末Ｔａに、表示データ７８を送信する。
【０２５５】
ベッドサイド端末Ｔａは、管理サーバＳｂから表示データ７８を受信し、表示データ７８を表示する。
【０２５６】
以上説明した第３の実施形態においては、ベッドサイド端末Ｔａに対して、患者識別データＰＩＤ１ではなくベッドサイド端末Ｔａの第１の位置データ４４ａが入力される。ベッドサイド端末Ｔａの第１の位置データ４４ａは、患者識別データＰＩＤ１よりも医療機関のスタッフＳが確認容易である。
【０２５７】
したがって、医療機関のスタッフＳおよび患者Ｐが患者識別データＰＩＤ１を記憶していない場合であっても、迅速にベッドサイド端末Ｔａのセッティングを行うことができる。
【０２５８】
ベッドの位置変更回数は、ベッドを利用する患者の変更回数よりも少ない。第３の実施形態においては、ベッドを利用する患者が変わっても、ベッドサイド端末Ｔａの位置が変更されない限り、ベッドサイド端末Ｔａに対して新たな設定入力を行わなくてもよい。このため、第３の実施形態においては、ベッドサイド端末Ｔａに対する設定入力の回数を少なくすることができ、設定入力ミスの発生を抑制することができる。また、第３の実施形態においては、ベッドサイド端末Ｔａなどのような電子機器を病室などで操作する作業を減らすことができる。
【０２５９】
第３の実施形態においては、医療機関のスタッフＳの作業労力および作業時間が増すことを防止することができる。
【０２６０】
第３の実施形態においては、ベッドサイド端末Ｔａに個人情報である患者識別データＰＩＤ１を入力する必要がないため、個人情報の管理を厳格化することができる。
【０２６１】
第３の実施形態においては、医療サーバＳａと管理サーバＳｂとの間のデータ通信の方式に応じて、電子カルテ３からの患者データ８の取得処理を切り替えることができる。したがって、患者データ８を適切に収集することができる。
【０２６２】
患者データ８に含まれている第２の位置データ４４ｂが端末データ３６に含まれているベッドサイド端末Ｔａの第１の位置データ４４ａの一部である場合がある。例えば、患者データ８に含まれている第２の位置データ４４ｂは、病棟および病室の識別データを含むが、ベッドの識別データまでは含まない場合がある。このような場合であっても、第３の実施形態においては、患者データ８に含まれている第２の位置データ４４ｂに対して補充位置データ３７および指定情報３７ａによって補充が行われる。
【０２６３】
これにより、第３の実施形態においては、患者データ８に含まれている第２の位置データ４４ｂに不足する情報がある場合であっても、表示データ７８をベッドサイド端末Ｔａに表示させることができる。
【０２６４】
第３の実施形態において、ベッドサイド端末Ｔａは、ユーザＵからベッドサイド端末Ｔａの第１の位置データ４４ａを受け付けるとしている。しかしながら、ベッドサイド端末Ｔａは、例えば、無線通信により第１の位置データ４４ａを受信する装置、第１の位置データ４４ａを示すバーコードまたは２次元コードの読み取り装置、ＩＣ（Integrated Circuit）タグから第１の位置データ４４ａを受信する装置などを用いて、ベッドサイド端末Ｔａの第１の位置データ４４ａを取得してもよい。
【０２６５】
（第４の実施形態）
ベッドサイド端末Ｔａは、患者ＰとスタッフＳの双方からの入力を受け付ける。したがって、患者ＰとスタッフＳの双方に対してベッドサイド端末Ｔａの操作性を高くることが望まれる。
【０２６６】
第４の実施形態は、このような実情に鑑みてなされたものであり、患者ＰとスタッフＳの双方に対するベッドサイド端末Ｔｂの操作性を高くすることにより、患者Ｐおよび医療機関のスタッフＳの負荷を軽減させる情報処理装置、情報処理システム、および、プログラムを提供する。
【０２６７】
第４の実施形態は、例えば上記第１および第２の実施形態と組み合わせることができる。
【０２６８】
図１７は、第４の実施形態に係る情報処理システム５６の構成の例を示すブロック図である。
【０２６９】
情報処理システム５６は、医療サーバＳａと、管理サーバＳｂと、ベッドサイド端末Ｔａとを備える。なお、医療サーバＳａは上記第１ないし第３の実施形態で説明されているため、第４の実施形態では医療サーバＳａの説明を省略する。
【０２７０】
管理サーバＳｂの記憶部Ｍ２は、例えば、ソフトウェア６、患者データ８、端末識別データＴ１，Ｔｎ、患者認証データ５７、スタッフ認証データ５８、表示データ５９１〜５９ｋ、登録情報６０を記憶する。
【０２７１】
管理サーバＳｂのプロセッサＰ２は、例えば、記憶部Ｍ２に記憶されているソフトウェア６を実行することにより、リクエスト処理部６１、患者認証部６２、スタッフ認証部６３としての機能を実現する。なお、リクエスト処理部６１、患者認証部６２、スタッフ認証部６３は、適宜、組み合わされてもよく、または、分割されてもよい。
【０２７２】
ベッドサイド端末Ｔａの記憶部Ｍ３は、例えば、ソフトウェア１３、表示データ５９１〜５９ｋ、登録情報６０を記憶する。
【０２７３】
ベッドサイド端末ＴａのプロセッサＰ３は、例えば、記憶部Ｍ３に記憶されているソフトウェア１３を実行することにより、リクエスト処理部６４としての機能を実現する。ソフトウェア１３は、例えば、ＯＳ、ブラウザなどを含むとしてもよい。リクエスト処理部６４は、適宜、分割されてもよい。
【０２７４】
以下で、第４の実施形態に係る管理サーバＳｂおよびベッドサイド端末Ｔａを順に説明する。
【０２７５】
まず、管理サーバＳｂを説明する。
【０２７６】
第４の実施形態において、管理サーバＳｂは、患者データ８、端末識別データＴ１，Ｔｎ、患者認証データ５７、スタッフ認証データ５８、登録情報６０を管理している。
【０２７７】
管理サーバＳｂは、ベッドサイド端末Ｔａから各種のリクエストを受信し、必要に応じて患者認証またはスタッフ認証を実行し、受信したリクエストまたは認証結果に応じて、表示データ５９１〜５９ｋを生成および記憶し、表示データ５９１〜５９ｋをベッドサイド端末Ｔａへ送信する。
【０２７８】
第４の実施形態において、管理サーバＳｂは、スタッフ認証の後、患者認証を実行する。また、管理サーバＳｂは、患者認証後からログアウトするまでの間においてスタッフ認証を実行しない。
【０２７９】
第４の実施形態において、管理サーバＳｂとベッドサイド端末Ｔａとの間で、登録情報６０が送信および受信される。管理サーバＳｂは、ベッドサイド端末Ｔａから、リクエストおよび登録情報６０を受信した場合に、リクエストおよび登録情報６０に基づいて、例えば患者情報を含む表示データを生成および記憶する。そして、管理サーバＳｂは、生成した表示データをベッドサイド端末Ｔａへ送信する。
【０２８０】
登録情報６０は、ベッドサイド端末Ｔａに表示された後述の患者ＩＤ入力画面Ｊ２に対して入力され、管理サーバＳｂによってユーザ認証が成功した患者識別データなどを含む情報、データ、または、ファイルとしてもよい。登録情報６０は、例えば、後述の患者トップ画面Ｊ３の生成に使用される情報、データ、または、ファイルとしてもよい。登録情報６０は、例えばＣｏｏｋｉｅなどでもよい。登録情報６０は、例えば、テキストデータとしてもよい。ベッドサイド端末Ｔａと管理サーバＳｂとは、登録情報６０を互いに送受信することで、過去に使用した情報などの様々な情報を利用可能である。
【０２８１】
患者認証データ５７は、ベッドサイド端末Ｔａの使用を許可されている患者の患者識別データＰＩＤ１〜ＰＩＤｎと、当該患者識別データＰＩＤ１〜ＰＩＤｎのそれぞれに対応する例えばパスワードなどのような認証データＰＰ１〜ＰＰｎとを関連付けている。言い換えれば、患者認証データ５７は、認証成功と判断すべき患者識別データと認証データとの組み合わせを含む。
【０２８２】
スタッフ認証データ５８は、ベッドサイド端末Ｔａの使用を許可されているスタッフのスタッフ識別データＳＩＤ１〜ＳＩＤｍと、当該スタッフ識別データＳＩＤ１〜ＳＩＤｍのそれぞれに対応する認証データＳＰ１〜ＳＰｍとを関連付けている。言い換えれば、スタッフ認証データ５８は、認証成功と判断すべきスタッフ識別データと認証データとの組み合わせを含む。
【０２８３】
リクエスト処理部６１は、例えば、ベッドサイド端末ＴａからネットワークＮ２および通信部Ｃ２経由で、リクエストおよび登録情報６０を受信し、リクエストおよび登録情報６０に基づいて、表示データ５９１〜５９ｋを生成し、表示データ５９１〜５９ｋおよび登録情報６０を記憶部Ｍ２に記憶させ、表示データ５９１〜５９ｋおよび登録情報６０を、通信部Ｃ２およびネットワークＮ２経由でベッドサイド端末Ｔａへ返す。
【０２８４】
例えば、リクエスト処理部６１は、ベッドサイド端末ＴａからネットワークＮ２および通信部Ｃ２経由で、患者認証リクエストと、患者識別データまたは登録情報６０とを受信した場合に、患者認証部６２を用いて患者認証を実行し、患者認証結果に対応する表示データ５９１〜５９ｋのいずれかと登録情報６０とを、通信部Ｃ２およびネットワークＮ２経由でベッドサイド端末Ｔａへ返す。
【０２８５】
例えば、リクエスト処理部６１は、ベッドサイド端末ＴａからネットワークＮ２および通信部Ｃ２経由で、スタッフ認証リクエストと、スタッフ識別データまたは登録情報６０とを受信した場合に、スタッフ認証部６３を用いてスタッフ認証を実行し、スタッフ認証結果に対応する表示データ５９１〜５９ｋのいずれかと登録情報６０とを、通信部Ｃ２およびネットワークＮ２経由でベッドサイド端末Ｔａへ返す。
【０２８６】
例えば、リクエスト処理部６１は、ベッドサイド端末ＴａからネットワークＮ２および通信部Ｃ２経由で、ログアウトリクエストを受信した場合に、ベッドサイド端末Ｔａに対するログアウト処理を実行する。
【０２８７】
例えば、リクエスト処理部６１は、ベッドサイド端末ＴａからネットワークＮ２および通信部Ｃ２経由で、リクエストおよび登録情報６０を受信した場合に、登録情報６０を更新し、更新した登録情報６０を記憶部Ｍ２に記憶させ、リクエストに対するレスポンスおよび更新した登録情報６０を、なお、リクエスト処理部６１は、登録情報６０をレスポンスとともにベッドサイド端末Ｔａへ送信しなくてもよい場合もある。言い換えれば、管理サーバＳｂからベッドサイド端末Ｔａへの登録情報６０の提供は、必要な場合に行われるとしてもよい。
【０２８８】
患者認証部６２は、例えば、ベッドサイド端末Ｔａから受信された患者認証リクエストと、患者識別データまたは登録情報６０とに基づいて、患者認証を実行する。より具体的に説明すると、例えば、患者認証部６２は、患者認証リクエストに対応する患者識別データおよび認証データの組み合わせが、患者認証データ５７に登録されている場合に、認証成功と判断する。患者認証部６２は、患者認証リクエストに対応する患者識別データおよび認証データの組み合わせが、患者認証データ５７に登録されていない場合に、認証失敗と判断する。
【０２８９】
スタッフ認証部６３は、例えば、ベッドサイド端末Ｔａから受信されたスタッフ認証リクエストと、スタッフ識別データとに基づいて、スタッフ認証を実行する。より具体的に説明すると、例えば、スタッフ認証部６３は、スタッフ認証リクエストに対応するスタッフ識別データおよび認証データの組み合わせが、スタッフ認証データ５８に登録されている場合に、認証成功と判断する。スタッフ認証部６３は、スタッフ認証リクエストに対応するスタッフ識別データおよび認証データの組み合わせが、スタッフ認証データ５８に登録されていない場合に、認証失敗と判断する。
【０２９０】
次に、ベッドサイド端末Ｔａを説明する。
【０２９１】
リクエスト処理部６４は、ベッドサイド端末Ｔａを操作する患者ＰまたはスタッフＳから操作受付部Ｒ１経由で、各種の指示を受け付ける。そして、リクエスト処理部６４は、受け付けた指示に応じて、記憶部Ｍ３に記憶されている登録情報６０を更新し、指示に対応するリクエストおよび記憶部Ｍ３に記憶されている登録情報６０を、通信部Ｃ３およびネットワークＮ２経由で管理サーバＳｂへ送信する。ここで、リクエスト処理部６４は、登録情報６０を、リクエストとともにネットワークＮ２経由で管理サーバＳｂへ送信しなくてもよい。言い換えれば、ベッドサイド端末Ｔａから管理サーバＳｂへの登録情報６０の提供は、必要な場合に行われるとしてもよい。
【０２９２】
リクエスト処理部６４は、リクエストに対する応答として、管理サーバＳｂからネットワークＮ２および通信部Ｃ３経由で表示データ５９１〜５９ｋのいずれかおよび登録情報６０を受信し、表示データ５９１〜５９ｋのいずれかおよび登録情報６０を記憶部Ｍ３に記憶させる。そして、リクエスト処理部６４は、記憶部Ｍ３からリードした表示データ５９１〜５９ｋのいずれかを表示部Ｄ１へ表示させるための制御を実行する。
【０２９３】
図１８は、第４の実施形態に係るベッドサイド端末Ｔａの画面遷移の例を示す図である。
【０２９４】
図１９は、第４の実施形態に係る情報処理システム５６によって実行される処理の例を示すフローチャートである。
【０２９５】
ベッドサイド端末Ｔａは、患者ＰまたはスタッフＳの操作にしたがって、スタート画面リクエストを管理サーバＳｂへ送信する。管理サーバＳｂは、スタート画面リクエストに応じて、表示データ５９１をベッドサイド端末Ｔａへ送信する。ベッドサイド端末Ｔａは、管理サーバＳｂから表示データ５９１を受信し、表示データ５９１を表示する。この結果、ベッドサイド端末Ｔａの表示部Ｄ１に、スタート画面Ｊ１が表示される（Ｓ１９０１）。
【０２９６】
スタート画面Ｊ１は、カレンダー、トップページボタン６５、スタッフメニューボタン６６を含む。
【０２９７】
ベッドサイド端末Ｔａは、スタート画面Ｊ１に対する患者情報フローｆ１の指定またはスタッフ機能フローｆ２の指定を受け付ける（Ｓ１９０２）。患者情報フローｆ１は、患者Ｐの患者情報をベッドサイド端末Ｔａに表示させる画面のフローである。スタッフ機能フローｆ２は、スタッフＳによる操作を受け付けるための画面のフローである。
【０２９８】
ベッドサイド端末Ｔａにおいてトップページボタン６５が押下された場合、患者情報フローｆ１が実行される。
【０２９９】
ベッドサイド端末Ｔａは、スタート画面Ｊ１のトップページボタン６５が押下された場合に、患者ＩＤ入力リクエストを管理サーバＳｂへ送信する。管理サーバＳｂは、患者ＩＤ入力リクエストに応じて、表示データ５９２をベッドサイド端末Ｔａへ送信する。ベッドサイド端末Ｔａは、管理サーバＳｂから表示データ５９２を受信し、表示データ５９２を表示する。この結果、ベッドサイド端末Ｔａの表示部Ｄ１に、患者ＩＤ入力画面Ｊ２が表示される（Ｓ１９０３）。
【０３００】
患者ＩＤ入力画面Ｊ２は、患者識別データ（患者ＩＤ）の入力領域６７と操作受付領域６８とを含む。なお、患者ＩＤ入力画面Ｊ２と、後で説明するスタッフ認証画面Ｊ４および患者認証画面Ｊ５は、パスワードなどの認証データの入力領域を含むとしてもよいが、以下では、説明を簡素化するため、認証データに関する説明は省略する。
【０３０１】
ベッドサイド端末Ｔａは、患者ＩＤ入力画面Ｊ２に対して患者識別データが入力された場合、患者識別データを含む登録情報６０を生成し、登録情報６０を記憶する。そして、ベッドサイド端末Ｔａは、患者トップ画面リクエストと、登録情報６０または患者識別データとを、管理サーバＳｂへ送信する。管理サーバＳｂは、患者トップ画面リクエストと、登録情報６０または患者識別データとに応じて患者認証を実行し（Ｓ１９０４）、患者認証に成功した場合、表示データ５９３と登録情報６０とをベッドサイド端末Ｔａへ送信する。ベッドサイド端末Ｔａは、管理サーバＳｂから表示データ５９３と登録情報６０とを受信し、表示データ５９３と登録情報６０とを記憶し、表示データ５９３を表示する。この結果、患者トップ画面Ｊ３に対応する登録情報６０がベッドサイド端末Ｔａに記憶される（Ｓ１９０５）とともに、ベッドサイド端末Ｔａの表示部Ｄ１に、患者トップ画面Ｊ３が表示される（Ｓ１９０６）。
【０３０２】
患者トップ画面Ｊ３および患者トップ画面Ｊ３より後にベッドサイド端末Ｔａに表示される画面は、患者情報を含むため、ベッドサイド端末Ｔａに、患者情報が表示される。ベッドサイド端末Ｔａによる患者情報の表示は、管理サーバＳｂによりログアウト処理が実行されるまで継続される（Ｓ１９０７）。
【０３０３】
ここで、ベッドサイド端末Ｔａに表示されている患者トップ画面Ｊ３または患者トップ画面Ｊ３より後にベッドサイト端末Ｔａに表示される画面に対して、患者ＰまたはスタッフＳが、ログアウトを指示したとする（Ｓ１９０８）。
【０３０４】
この場合、ベッドサイド端末Ｔａは、ログアウトリクエストを管理サーバＳｂへ送信する。管理サーバＳｂは、ベッドサイド端末Ｔａから受信したログアウトリクエストに応じて、ログアウト処理を実行する（Ｓ１９０９）。
【０３０５】
なお、管理サーバＳｂは、ログアウト処理の後、表示データ５９１をベッドサイド端末Ｔａへ送信してもよい。この場合、処理はＳ１９０１に戻り、ベッドサイド端末Ｔａは、表示データ５９１を表示する。この結果、ベッドサイド端末Ｔａの表示部Ｄ１に、スタート画面Ｊ１が表示される。
【０３０６】
ベッドサイド端末Ｔａにおいてスタート画面Ｊ１のスタッフメニューボタン６６が押下された場合、スタッフ機能フローｆ２が実行される。
【０３０７】
ベッドサイド端末Ｔａは、スタッフメニューボタン６６が押下された場合に、スタッフ認証リクエストを管理サーバＳｂへ送信する。管理サーバＳｂは、スタッフ認証リクエストに応じて、表示データ５９４をベッドサイド端末Ｔａへ送信する。ベッドサイド端末Ｔａは、管理サーバＳｂから受信した表示データ５９４を表示する。この結果、ベッドサイド端末Ｔａの表示部Ｄ１に、スタッフ認証画面Ｊ４が表示される（Ｓ１９１０）。
【０３０８】
スタッフ認証画面Ｊ４は、スタッフ識別データ（スタッフＩＤ）の入力領域６９と操作受付領域７０とを含む。
【０３０９】
ベッドサイド端末Ｔａは、スタッフ認証画面Ｊ４に対してスタッフ識別データが入力された場合、スタッフ認証リクエストとスタッフ識別データとを、管理サーバＳｂへ送信する。管理サーバＳｂは、ベッドサイド端末Ｔａから受信したスタッフ認証リクエストとスタッフ識別データとに応じてスタッフ認証を実行し（Ｓ１９１１）、スタッフ認証に成功した場合、表示データ５９５をベッドサイド端末Ｔａへ送信する。ベッドサイド端末Ｔａは、管理サーバＳｂから受信した表示データ５９５を表示する。この結果、ベッドサイド端末Ｔａの表示部Ｄ１に、患者認証画面Ｊ５が表示される（Ｓ１９１２）。
【０３１０】
患者認証画面Ｊ５は、患者識別データの入力領域７１と操作受付領域７２とを含む。
【０３１１】
第４の実施形態において、ベッドサイド端末Ｔａは、上記の患者ＩＤ入力画面Ｊ２で入力されユーザ認証に成功した患者識別データを含む登録情報６０を所有している場合、登録情報６０に基づいて、患者識別データの入力領域７１に対して、患者ＩＤ入力画面Ｊ２で入力されユーザ認証に成功した患者識別データをセットする。
【０３１２】
ベッドサイド端末Ｔａは、患者認証画面Ｊ５において患者識別データが決定された場合、患者認証リクエストと患者識別データとを、管理サーバＳｂへ送信する。管理サーバＳｂは、患者認証リクエストと患者識別データとに応じて患者認証を実行し（Ｓ１９１３）、患者認証に成功した場合、表示データ５９６をベッドサイド端末Ｔａへ送信する。ベッドサイド端末Ｔａは、管理サーバＳｂから受信した表示データ５９６を表示する。この結果、ベッドサイド端末Ｔａの表示部Ｄ１に、スタッフメニュー画面Ｊ６が表示される（Ｓ１９１４）。
【０３１３】
ベッドサイド端末Ｔａは、スタッフメニュー画面Ｊ６に対するスタッフＳの指示を受け付ける（Ｓ１９１５）。
【０３１４】
スタッフＳは、スタッフメニュー画面Ｊ６に対して、スタッフ機能フローｆ２に属する操作を指示したとする。
【０３１５】
この場合、ベッドサイド端末Ｔａは、管理サーバＳｂと協働して、例えば、登録情報６０に含まれている患者識別データの解除・変更、患者情報の編集、患者のバイタル情報の入力、離床報告などのスタッフ操作用の画面Ｊ７を表示する（Ｓ１９１６）。スタッフ機能フローｆ２では、画面Ｊ７からスタッフメニュー画面Ｊ６へ戻ることも可能である。
【０３１６】
スタッフＳは、スタッフメニュー画面Ｊ６または画面Ｊ７に対して、ログアウトを指示したとする（Ｓ１９１７）。
【０３１７】
この場合、ベッドサイド端末Ｔａは、ログアウトリクエストを管理サーバＳｂへ送信する。管理サーバＳｂは、ベッドサイド端末Ｔａから受信したログアウトリクエストに応じて、ログアウト処理を実行する（Ｓ１９０９）。
【０３１８】
スタッフＳが、スタッフメニュー画面Ｊ６、または、画面Ｊ７に対して、ログアウトを指示しない場合（Ｓ１９１７）、処理はＳ１９１５に戻る。
【０３１９】
スタッフＳが、上記のＳ１９１５におけるスタッフメニュー画面Ｊ６、または、画面Ｊ７に対して、患者トップ画面Ｊ３の表示を指示したとする。
【０３２０】
この場合、ベッドサイド端末Ｔａは、患者トップ画面リクエストと、患者トップ画面Ｊ３を表示するために必要となる登録情報６０とを、管理サーバＳｂへ送信する（Ｓ１９１８）。
管理サーバＳｂは、患者トップ画面リクエストと登録情報６０とに応じて、表示データ５９３をベッドサイド端末Ｔａへ送信する。ベッドサイド端末Ｔａは、管理サーバＳｂから受信した表示データ５９３を表示する。この結果、ベッドサイド端末Ｔａの表示部Ｄ１に、患者トップ画面Ｊ３が表示される（Ｓ１９０６）。
【０３２１】
なお、ベッドサイド端末Ｔａは、スタッフ機能フローｆ２においてスタッフＳから患者トップ画面Ｊ３の表示が指示された場合に、登録情報６０に基づいて、ベッドサイド端末Ｔａの記憶部Ｍ３に記憶済みの表示データ５９３を表示してもよい。
【０３２２】
このような画面遷移および処理を実行する第４の実施形態においては、スタッフメニュー画面Ｊ６またはスタッフメニュー画面Ｊ６より後にベッドサイト端末Ｔａに表示される例えば画面Ｊ７から、患者トップ画面Ｊ３へ遷移する場合、管理サーバＳｂは、患者認証を実行しなくてもよい。そして、患者トップ画面Ｊ３がベッドサイド端末Ｔａに表示された後、ログアウトが実行されるまで、管理サーバＳｂはスタッフ認証を実行しない。
【０３２３】
以上説明した第４の実施形態においては、スタート画面Ｊ１で患者情報フローｆ１またはスタッフ機能フローｆ２のいずれかが選択される。第４の実施形態においては、患者認証の後、ログアウトをすることなくスタッフ認証が実行されることはない。
【０３２４】
第４の実施形態においては、患者情報の閲覧のための操作と、スタッフ操作の受け付けとを明確に区別することができ、患者ＰまたはスタッフＳによる誤操作を防止することができ、患者ＰおよびスタッフＳの負荷を軽減して作業効率を向上させることができる。
【０３２５】
第４の実施形態においては、登録情報６０を用いることにより、例えばスタッフメニュー画面Ｊ６または画面Ｊ７から患者認証を実行することなく患者トップ画面Ｊ３などへ容易に遷移することができる。すなわち、スタッフＳは、スタッフ機能フローｆ２から容易に患者情報フローｆ１へ切り替えることができる。したがって、スタッフＳに対して高い操作性を提供することができる。
【０３２６】
上記の各実施形態において、情報処理システム１，３５，５６が介護分野（介護施設）に適用される場合、患者Ｐは被介護者であり、スタッフＳは介護職員などである。
【０３２７】
なお、本願発明は、上記各実施形態そのままに限定されるものではなく、実施段階ではその要旨を逸脱しない範囲で構成要素を変形して具現化できる。また、上記各実施形態に開示されている複数の構成要素の適宜な組み合わせにより種々の発明を形成できる。例えば、各実施形態に示される全構成要素から幾つかの構成要素を削減してもよい。更に、異なる実施形態に亘る構成要素を適宜組合せてもよい。
【符号の説明】
【０３２８】
１，３５，５６…情報処理システム、Ｓａ…医療サーバ、Ｓｂ…管理サーバ、Ｔａ…ベッドサイド端末、Ｔｂ…患者端末、Ｔｃ…管理端末、Ｃ１〜Ｃ５…通信部、Ｍ１〜Ｍ５…記憶部、Ｐ１〜Ｐ５…プロセッサ、２，６，１３，１７，４９…ソフトウェア、３…電子カルテ、４…編集部、５…データ検索部、７１〜７ｍ，５９１〜５９ｋ…表示データ、８…患者データ、ＰＩ１〜ＰＩｎ，８ａ…患者情報、ＰＩＤ１〜ＰＩＤｎ…患者識別データ、Ｔ１，Ｔｎ…端末識別データ、Ｌ１，Ｌｎ…格納位置データ、９，１４，６１，６４…リクエスト処理部、１０…患者データ処理部、１１，１５、１８…格納位置処理部、１２，１９…患者情報処理部、３１…データ有効期限、３２…ワンタイムパスワード，５７…患者認証データ、５８…スタッフ認証データ、６０…登録情報、６２…患者認証部、６３…スタッフ認証部、ｆ１…患者情報フロー、ｆ２…スタッフ機能フロー。
【要約】
【課題】医療機関が患者へ患者情報を提供する場合の作業負荷を軽減する。
【解決手段】情報処理装置は、ベッドサイド端末と通信可能であり、ベッドサイド端末と異なる端末と通信可能であるプロセッサと、プロセッサによって制御される記憶部とを備える。記憶部は、患者情報を記憶する。プロセッサは、ベッドサイド端末へ、患者情報が格納されている位置を指定する格納位置データを送信し、ベッドサイド端末から格納位置データを取得した端末から、格納位置データによって指定される位置の患者情報のリクエストを受信し、リクエストにしたがって、格納位置データによって指定される位置の患者情報を、端末へ送信する。
【選択図】    図１【図１】
0006896311.tif 000002
【図２】
0006896311.tif 000003
【図３】
0006896311.tif 000004
【図４】
0006896311.tif 000005
【図５】
0006896311.tif 000006
【図６】
0006896311.tif 000007
【図７】
0006896311.tif 000008
【図８】
0006896311.tif 000009
【図９】
0006896311.tif 000010
【図１０】
0006896311.tif 000011
【図１１】
0006896311.tif 000012
【図１２】
0006896311.tif 000013
【図１３】
0006896311.tif 000014
【図１４】
0006896311.tif 000015
【図１５】
0006896311.tif 000016
【図１６】
0006896311.tif 000017
【図１７】
0006896311.tif 000018
【図１８】
0006896311.tif 000019
【図１９】
0006896311.tif 000020